(57)【特許請求の範囲】
【請求項１】
青色光を発生するＬＥＤ光源と、このＬＥＤ光源を端部に配置し、前記端部から内部に入射した青色光を長軸方向に沿って反射させながら伝搬させる棒状の導光体と、この導光体を取り囲むと共に長軸方向に沿って長溝で構成した開口から、前記導光体の一部を露出、又は、突出させたケースと、このケースにおける前記導光体を取り囲む側の面と前記導光体の外周面との間に設けられ、前記青色光を吸収して励起された蛍光を放出する蛍光体層と、この蛍光体層の少なくとも一部と前記導光体の内部を介して対向する位置の前記導光体の外周面に、前記長軸方向に沿ってライン状に設けた光反射パターンとを備え、前記青色光が前記導光体を伝搬する過程において、前記蛍光体層は、前記光反射パターンで散乱又は正反射して前記導光体の外周面から出射した青色光を捕捉し、前記青色光を反射させると共に前記青色光とは異なる光学波長の光に変換された２種以上の複合光を生成し、前記蛍光体層で生成された光を前記導光体の内部へ透過させて、前記導光体における前記ケースから露出、又は、突出した一部から前記青色光を含む前記複合光を被照射体に照射する画像読み取り用ライン光源。
【請求項２】
青色光を発生するＬＥＤ光源と、このＬＥＤ光源を端部に配置し、前記端部から内部に入射した青色光を長軸方向に沿って反射させながら伝搬させる棒状の導光体と、この導光体を取り囲むと共に長軸方向に沿って長溝で構成した開口から、前記導光体の一部を露出、又は、突出させ、前記青色光を吸収して励起された蛍光を放出する蛍光体層と、この蛍光体層における前記導光体を取り囲む側の面と前記導光体の外周面との間に設けられた透明ケースと、前記蛍光体層の少なくとも一部と前記導光体の内部を介して対向する位置の前記導光体の外周面に、前記長軸方向に沿ってライン状に設けた光反射パターンとを備え、前記青色光が前記導光体を伝搬する過程において、前記蛍光体層は、前記光反射パターンで散乱又は正反射して前記導光体の外周面から前記透明ケースを介して出射した青色光を捕捉し、前記青色光を反射させると共に前記青色光とは異なる光学波長の光に変換された２種以上の複合光を生成し、前記蛍光体層で生成された光を前記透明ケースを介して前記導光体の内部へ透過させて、前記導光体における前記蛍光体層から露出、又は、突出した一部から前記青色光を含む前記複合光を被照射体に照射する画像読み取り用ライン光源。
【請求項３】
青色光を発生するＬＥＤ光源と、このＬＥＤ光源を端部に配置し、前記端部から内部に入射した青色光を長軸方向に沿って反射させながら伝搬させる棒状の導光体と、この導光体を取り囲むと共に長軸方向に沿って長溝で構成した開口から、前記導光体の一部を露出、又は、突出させ、前記導光体を取り囲む面に前記長軸方向に沿って凹部及び凸部が交互に複数形成されたケースと、このケースの前記凹部に設けられ、前記青色光を吸収して励起された蛍光を放出する蛍光体層と、この蛍光体層の少なくとも一部と前記導光体の内部を介して対向する位置の前記導光体の外周面に、前記長軸方向に沿ってライン状に設けた光反射パターンとを備え、前記青色光が前記導光体を伝搬する過程において、前記蛍光体層は、前記光反射パターンで散乱又は正反射して前記導光体の外周面から出射した青色光を捕捉し、前記青色光を反射させると共に前記青色光とは異なる光学波長の光に変換された２種以上の複合光を生成し、前記蛍光体層で生成され、前記ケースの凸部によって前記導光体への入射角度が制限された光を前記導光体の内部へ透過させて、前記導光体における前記ケースから露出、又は、突出した一部から前記青色光を含む前記複合光を被照射体に照射する画像読み取り用ライン光源。
【請求項４】
青色光を発生するＬＥＤ光源と、このＬＥＤ光源を端部に配置し、前記端部から内部に入射した青色光を長軸方向に沿って反射させながら伝搬させる棒状の導光体と、この導光体を取り囲むと共に長軸方向に沿って長溝で構成した開口から、前記導光体の一部を露出、又は、突出させ、前記導光体を取り囲む面に前記長軸方向と直交する方向に沿って第２凹部及び第２凸部が交互に複数形成され、前記第２凸部が前記開口側を向いた斜面部を有するケースと、このケースの前記第２凹部及び前記斜面部に設けられ、前記青色光を吸収して励起された蛍光を放出する蛍光体層と、この蛍光体層の少なくとも一部と前記導光体の内部を介して対向する位置の前記導光体の外周面に、前記長軸方向に沿ってライン状に設けた光反射パターンとを備え、前記青色光が前記導光体を伝搬する過程において、前記蛍光体層は、前記光反射パターンで散乱又は正反射して前記導光体の外周面から出射した青色光を捕捉し、前記青色光を反射させると共に前記青色光とは異なる光学波長の光に変換された２種以上の複合光を生成し、前記蛍光体層で生成された光を前記導光体の内部へ透過させて、前記導光体における前記ケースから露出、又は、突出した一部から前記青色光を含む前記複合光を被照射体に照射する画像読み取り用ライン光源。
【請求項５】
青色光を発生するＬＥＤ光源と、このＬＥＤ光源を端部に配置し、前記端部から内部に入射した青色光を長軸方向に沿って反射させながら伝搬させる棒状の導光体と、この導光体を取り囲むと共に長軸方向に沿って長溝で構成した開口から、前記導光体の一部を露出、又は、突出させ、前記導光体を取り囲む面に前記長軸方向に沿って凹部及び凸部が交互に複数形成され、前記導光体を取り囲む面に前記長軸方向と直交する方向に沿って第２凹部及び第２凸部が交互に複数形成され、前記第２凸部が前記開口側を向いた斜面部を有するケースと、このケースの前記第２凹部及び前記斜面部並びに前記凹部よって形成された複数の格子状凹部に設けられ、前記青色光を吸収して励起された蛍光を放出する蛍光体層と、この蛍光体層の少なくとも一部と前記導光体の内部を介して対向する位置の前記導光体の外周面に、前記長軸方向に沿ってライン状に設けた光反射パターンとを備え、前記青色光が前記導光体を伝搬する過程において、前記蛍光体層は、前記光反射パターンで散乱又は正反射して前記導光体の外周面から出射した青色光を捕捉し、前記青色光を反射させると共に前記青色光とは異なる光学波長の光に変換された２種以上の複合光を生成し、前記蛍光体層で生成され、前記ケースの凸部によって前記導光体への入射角度が制限された光を前記導光体の内部へ透過させて、前記導光体における前記ケースから露出、又は、突出した一部から前記青色光を含む前記複合光を被照射体に照射する画像読み取り用ライン光源。
【請求項６】
紫外光を発生するＬＥＤ光源と、このＬＥＤ光源を端部に配置し、前記端部から内部に入射した紫外光を長軸方向に沿って反射させながら伝搬させる棒状の導光体と、この導光体を取り囲むと共に長軸方向に沿って長溝で構成した開口から、前記導光体の一部を露出、又は、突出させたケースと、このケースにおける前記導光体を取り囲む側の面と前記導光体の外周面との間に設けられ、前記紫外光を吸収して励起された蛍光を放出する蛍光体層と、この蛍光体層の少なくとも一部と前記導光体の内部を介して対向する位置の前記導光体の外周面に、前記長軸方向に沿ってライン状に設けた光反射パターンとを備え、前記紫外光が前記導光体を伝搬する過程において、前記蛍光体層は、前記光反射パターンで散乱又は正反射して前記導光体の外周面から出射した紫外光を捕捉し、前記紫外光を反射させると共に前記紫外光とは異なる光学波長の光に変換された３種以上の複合光を生成し、前記蛍光体層で生成された光を前記導光体の内部へ透過させて、前記導光体における前記ケースから露出、又は、突出した一部から前記紫外光を含む前記複合光を被照射体に照射する画像読み取り用ライン光源。
【請求項７】
紫外光を発生するＬＥＤ光源と、このＬＥＤ光源を端部に配置し、前記端部から内部に入射した紫外光を長軸方向に沿って反射させながら伝搬させる棒状の導光体と、この導光体を取り囲むと共に長軸方向に沿って長溝で構成した開口から、前記導光体の一部を露出、又は、突出させ、前記紫外光を吸収して励起された蛍光を放出する蛍光体層と、この蛍光体層における前記導光体を取り囲む側の面と前記導光体の外周面との間に設けられた透明ケースと、前記蛍光体層の少なくとも一部と前記導光体の内部を介して対向する位置の前記導光体の外周面に、前記長軸方向に沿ってライン状に設けた光反射パターンとを備え、前記紫外光が前記導光体を伝搬する過程において、前記蛍光体層は、前記光反射パターンで散乱又は正反射して前記導光体の外周面から前記透明ケースを介して出射した紫外光を捕捉し、前記紫外光を反射させると共に前記紫外光とは異なる光学波長の光に変換された３種以上の複合光を生成し、前記蛍光体層で生成された光を前記透明ケースを介して前記導光体の内部へ透過させて、前記導光体における前記蛍光体層から露出、又は、突出した一部から前記紫外光を含む前記複合光を被照射体に照射する画像読み取り用ライン光源。
【請求項８】
紫外光を発生するＬＥＤ光源と、このＬＥＤ光源を端部に配置し、前記端部から内部に入射した紫外光を長軸方向に沿って反射させながら伝搬させる棒状の導光体と、この導光体を取り囲むと共に長軸方向に沿って長溝で構成した開口から、前記導光体の一部を露出、又は、突出させ、前記導光体を取り囲む面に前記長軸方向に沿って凹部及び凸部が交互に複数形成されたケースと、このケースの前記凹部に設けられ、前記紫外光を吸収して励起された蛍光を放出する蛍光体層と、この蛍光体層の少なくとも一部と前記導光体の内部を介して対向する位置の前記導光体の外周面に、前記長軸方向に沿ってライン状に設けた光反射パターンとを備え、前記紫外光が前記導光体を伝搬する過程において、前記蛍光体層は、前記光反射パターンで散乱又は正反射して前記導光体の外周面から出射した紫外光を捕捉し、前記紫外光を反射させると共に前記紫外光とは異なる光学波長の光に変換された３種以上の複合光を生成し、前記蛍光体層で生成され、前記ケースの凸部によって前記導光体への入射角度が制限された光を前記導光体の内部へ透過させて、前記導光体における前記ケースから露出、又は、突出した一部から前記紫外光を含む前記複合光を被照射体に照射する画像読み取り用ライン光源。
【請求項９】
紫外光を発生するＬＥＤ光源と、このＬＥＤ光源を端部に配置し、前記端部から内部に入射した紫外光を長軸方向に沿って反射させながら伝搬させる棒状の導光体と、この導光体を取り囲むと共に長軸方向に沿って長溝で構成した開口から、前記導光体の一部を露出、又は、突出させ、前記導光体を取り囲む面に前記長軸方向と直交する方向に沿って第２凹部及び第２凸部が交互に複数形成され、前記第２凸部が前記開口側を向いた斜面部を有するケースと、このケースの前記第２凹部及び前記斜面部に設けられ、前記紫外光を吸収して励起された蛍光を放出する蛍光体層と、この蛍光体層の少なくとも一部と前記導光体の内部を介して対向する位置の前記導光体の外周面に、前記長軸方向に沿ってライン状に設けた光反射パターンとを備え、前記紫外光が前記導光体を伝搬する過程において、前記蛍光体層は、前記光反射パターンで散乱又は正反射して前記導光体の外周面から出射した紫外光を捕捉し、前記紫外光を反射させると共に前記紫外光とは異なる光学波長の光に変換された３種以上の複合光を生成し、前記蛍光体層で生成された光を前記導光体の内部へ透過させて、前記導光体における前記ケースから露出、又は、突出した一部から前記紫外光を含む前記複合光を被照射体に照射する画像読み取り用ライン光源。
【請求項１０】
紫外光を発生するＬＥＤ光源と、このＬＥＤ光源を端部に配置し、前記端部から内部に入射した紫外光を長軸方向に沿って反射させながら伝搬させる棒状の導光体と、この導光体を取り囲むと共に長軸方向に沿って長溝で構成した開口から、前記導光体の一部を露出、又は、突出させ、前記導光体を取り囲む面に前記長軸方向に沿って凹部及び凸部が交互に複数形成され、前記導光体を取り囲む面に前記長軸方向と直交する方向に沿って第２凹部及び第２凸部が交互に複数形成され、前記第２凸部が前記開口側を向いた斜面部を有するケースと、このケースの前記第２凹部及び前記斜面部並びに前記凹部よって形成された複数の格子状凹部に設けられ、前記紫外光を吸収して励起された蛍光を放出する蛍光体層と、この蛍光体層の少なくとも一部と前記導光体の内部を介して対向する位置の前記導光体の外周面に、前記長軸方向に沿ってライン状に設けた光反射パターンとを備え、前記紫外光が前記導光体を伝搬する過程において、前記蛍光体層は、前記光反射パターンで散乱又は正反射して前記導光体の外周面から出射した紫外光を捕捉し、前記紫外光を反射させると共に前記紫外光とは異なる光学波長の光に変換された３種以上の複合光を生成し、前記蛍光体層で生成され、前記ケースの凸部によって前記導光体への入射角度が制限された光を前記導光体の内部へ透過させて、前記導光体における前記ケースから露出、又は、突出した一部から前記紫外光を含む前記複合光を被照射体に照射する画像読み取り用ライン光源。
【請求項１１】
前記導光体における前記ケースから露出、又は、突出した一部からライン状に出射する紫外光を遮光する紫外線遮光部が形成された請求項６、８〜１０のいずれかに記載の画像読み取り用ライン光源。
【請求項１２】
前記導光体における前記透明ケースから露出、又は、突出した一部からライン状に出射する紫外光を遮光する紫外線遮光部が形成された請求項７に記載の画像読み取り用ライン光源。
【請求項１３】
前記紫外線遮光部は、前記導光体の外周面に前記長軸方向に沿って設けられ、前記導光体における前記ケースから露出、又は、突出した一部からライン状に出射する紫外光を遮光する紫外線遮光パターンである請求項１１に記載の画像読み取り用ライン光源。
【請求項１４】
前記紫外線遮光部は、前記導光体の外周面に前記長軸方向に沿って設けられ、前記導光体における前記透明ケースから露出、又は、突出した一部からライン状に出射する紫外光を遮光する紫外線遮光パターンである請求項１２に記載の画像読み取り用ライン光源。
【請求項１５】
前記導光体は、少なくとも前記ケースの凸部の頂点又は前記ケースの第２凸部の一方の頂点で支持されたものである請求項３〜５及び請求項８〜１１、１３のいずれかに記載の画像読み取り用ライン光源。
【請求項１６】
前記導光体の長軸方向と直交する方向の断面形状は、円形又は多角形である請求項１〜１５のいずれかに記載の画像読み取り用ライン光源。
【請求項１７】
前記導光体の長軸方向と直交する方向の断面形状は、前記光反射パターンと対向する部分における前記外周面が連続する少なくとも一方側が円弧状に突起した形状である請求項１〜１５のいずれかに記載の画像読み取り用ライン光源。
【請求項１８】
前記開口は、前記導光体における円弧状に突起した部分を、露出、又は、突出させたものである請求項１７に記載の画像読み取り用ライン光源。
【請求項１９】
前記導光体の長軸方向と直交する方向の断面形状は、前記光反射パターンと対向する部分が直線形状であって、その直線形状の部分が、前記円弧状に突起した部分側に傾斜した形状である請求項１７又は１８に記載の画像読み取り用ライン光源。
【請求項２０】
前記蛍光体層の前記導光体の長軸方向と直交する方向の断面形状は、前記開口に近づくにつれ、前記導光体からの距離が離れていくものである請求項１〜１９のいずれかに記載の画像読み取り用ライン光源。
【請求項２１】
前記蛍光体層は、前記開口に近づくにつれ、前記導光体からの距離が離れていく部分で生成した光の一部を直接被照射体に照射するものである請求項２０に記載の画像読み取り用ライン光源。
【請求項２２】
光を発生するＬＥＤ光源と、このＬＥＤ光源を端部に配置し、前記端部から内部に入射した光を長軸方向に沿って反射させながら伝搬させる棒状の導光体と、この導光体を取り囲むと共に長軸方向に沿って長溝で構成した開口から、前記導光体の一部を露出、又は、突出させたケースと、このケースにおける前記導光体を取り囲む側の面と前記導光体の外周面との間、又は、前記ケースにおける前記導光体を取り囲む側の面と反対側の面の少なくとも一方に設けられ、前記端部から内部に入射した光を吸収して励起された蛍光を放出する蛍光体層と、この蛍光体層の少なくとも一部と前記導光体の内部を介して対向する位置の前記導光体の外周面に、前記長軸方向に沿ってライン状に設けた光反射パターンとを備え、前記端部から内部に入射した光が前記導光体を伝搬する過程において、前記蛍光体層は、前記光反射パターンで散乱又は正反射して前記導光体の外周面から出射した光を捕捉し、この光を反射させると共に当該光とは異なる光学波長の光に変換された光を生成し、前記蛍光体層で生成された光を前記導光体の内部へ透過させて、前記導光体における前記ケースから露出、又は、突出した一部から前記端部から内部に入射した光及び前記蛍光体層で生成された光を被照射体に照射する画像読み取り用ライン光源。
【発明の詳細な説明】
【技術分野】
【０００１】
この発明は、読み取り対象物（被照射体）に光を照射し、読み取り対象物からの透過光や反射光をライン状に配置された光センサで読み取らせることで読み取り対象物上に形成された画像、文字、パターンなどを電子情報化する複写機やスキャナー等の画像読み取り機器に使用される画像読み取り用ライン光源に関するものである。
【背景技術】
【０００２】
紙媒体などに印刷形成された画像、文字、パターンなどの情報を電子化するときに用いられる複写機、スキャナー等の機器においては、キセノン（Ｘｅ）ランプなどの線状光源で読み取り対象物を照明するものが多い。例えば、特開２００２−１９０９１９号公報段落［００２０］（特許文献１参照）には、蛍光体非塗布部（帯状光投射部）１３ａ、１３ｂを残して蛍光体膜とした、キセノンガスを放電媒体とするアパーチャ形の蛍光ランプ１２ａ、１２ｂが開示されている。
【０００３】
また、線状光源としてＸｅランプの代わりに青色光や紫外光を発するＬＥＤを用いた光源が普及している。例えば、特開２０００−１２７５０５号公報段落［００２３］（特許文献２参照）には、ＬＥＤ２６から放出された青色光３６を受けて、蛍光ストリップ３０、３２と非蛍光ストリップ３４をガラス又はプラスチック材料で構成した透明な棒レンズ２８から複合「白色」光３８を発生させる光源アセンブリ１８が開示されている。
【０００４】
特開２００４−８５８２４号公報段落［００１４］（特許文献３参照）には、紫外線発光のＬＥＤ１１の上方に数タイプの発光色をブレンドした蛍光体１３を塗布した透明板（ガラス板等）１２が配置され、ＬＥＤ１１から発した紫外光ＵＶが蛍光体１３に当たって可視光を発光する長尺光源（線状光源）１０が開示されている。
【０００５】
特開平１０−７９８３５号公報段落［００１５］（特許文献４参照）には、光源１の管内面に塗付されている蛍光体５により紫外線４から変換された可視光６と、光源１の開口部２から直接放射された紫外線４ａを蛍光体１０と反射膜１１からなる蛍光部材９により変換された可視光６ａとからなる合成可視光を原稿７に照射する照明装置が開示されている。
【０００６】
特開２００６−６７１９７号公報段落［００６２］（特許文献５参照）には、外筒部としての反射シート１８の内面に蛍光体４３が印刷されたパターン、又はカバー１５の内面に蛍光体４４が印刷されたパターンを導光体と接するように貼り付け又は覆うライン光源が開示されている。
【０００７】
特開２０１１−２５００２８号公報段落［００１８］（特許文献６参照）には、円筒状の透光筒１１の内周面の周方向における全周にわたる領域に、蛍光体層２５が設けられ、透光筒１１の長手方向に沿って延びるよう配設された基板２１上においてその長手方向に並んで配置された複数のＬＥＤ素子２０からの光によって蛍光体が励起されてＬＥＤ素子２０の発光による青色光のピーク波長より長波長の励起光（黄色光）を放射し、青色光及び励起光（黄色光）が混色された混色光を放射する光源装置が開示されている。
【０００８】
特開２０１１−２１６９４５号公報段落［００２０］（特許文献７参照）には、導光体３の背面３４の外面に可視域の長波長成分をカットするフィルタ６が配置された線状光源装置が開示されている。
【先行技術文献】
【特許文献】
【０００９】
【特許文献１】特開２００２−１９０９１９号公報（例えば、段落［００２０］など）
【特許文献２】特開２０００−１２７５０５号公報（例えば、段落［００２３］など）
【特許文献３】特開２００４−８５８２４号公報（例えば、段落［００１４］、第２図など）
【特許文献４】特開平１０−７９８３５号公報（例えば、段落［００１５］、第１図など）
【特許文献５】特開２００６−６７１９７号公報（例えば、段落［００６２］など）
【特許文献６】特開２０１１−２５００２８号公報（例えば、段落［００１８］、第１図など）
【特許文献７】特開２０１１−２１６９４５号公報（例えば、段落［００２０］、第２図など）
【発明の概要】
【発明が解決しようとする課題】
【００１０】
しかしながら、特許文献１に記載のものでは、Ｘｅガスの放電で発生した紫外光でガラス管内壁面に形成した蛍光体層を励起して蛍光させるためにＸｅランプに数ｋＶの高電圧を印加するので高電圧を生成するための電源回路が必要であるという課題がある。また、放電現象を利用していることにより発熱が大きく、ランプの温度上昇に伴い蛍光体の発光効率や輝度が低下し、時間と共に輝度が大きく変化してしまうという課題もあった。
【００１１】
特許文献２に記載のものは、青色のＬＥＤを使用するので低電圧で動作が可能であるものの、ハウジング１４の内部に入っているキャリッジユニット１６の一部を構成する棒状の光源アセンブリ１８の蛍光ストリップ３０、３２については言及されているが、ハウジング１４やキャリッジユニット１６などの周辺部材との取り合わせについては触れていない。
【００１２】
特許文献３に記載のものは、紫外発光のＬＥＤ１１の上方に蛍光体１３を塗布した透明板（ガラス板等）１２が配置されるので、光の照射方向に可視光（ＶＲ）と紫外線（ＵＶ）とが複合され、紫外線の強度が大きい場合には、読み取り対象物に対する紫外線のスペクトラム比率が高くなり、紫外線の強度が小さい場合には、蛍光の変換効率を悪くなるという課題がある。また、ＬＥＤ１１を長手方向（読み取り幅方向）の長さに合わせてアレー状に多数配列するので経時変化などで個々のＬＥＤ１１の光変換効率に差が生じ均一な照明が困難になるという課題があった。ＬＥＤをアレー状に多数配列することに起因する課題は、特許文献６に記載のものにもいえることである。
【００１３】
特許文献４に記載のものは、光源１の管内面に蛍光体５が塗布されるので、副走査方向と直交する領域に塗布された蛍光体５の塗布厚のばらつきがあり、均一性を確保することが困難であるという課題がある。また、長筒状の光源１が筐体フレームに保持されることに関する詳細については触れられていない。
【００１４】
特許文献５に記載のものは、外筒部としての反射シート１８の内面に蛍光体４３が印刷されたパターン又はカバー１５の内面に蛍光体４４が印刷されたパターンを導光体と接するように貼り付け又は覆うので、蛍光体層の厚みを十分に確保できないため蛍光体４３、４４の発光効率が低下するという課題がある。
【００１５】
特許文献７に記載のものは、蛍光される光の変換に関する詳細な記載がなく、蛍光体やその周辺部材との取り合わせについては触れていない。
【００１６】
この発明は上記のような課題を解決するためになされたものであり、長尺の光源を形成した場合にも長手方向に照明の均一性を得ることができると共に蛍光される光の変換効率を高めることで発光強度の大きな画像読み取り用ライン光源を得ることを目的とする。
【課題を解決するための手段】
【００１７】
請求項１に係る発明の画像読み取り用ライン光源は、青色光を発生するＬＥＤ光源と、このＬＥＤ光源を端部に配置し、前記端部から内部に入射した青色光を長軸方向に沿って反射させながら伝搬させる棒状の導光体と、この導光体を取り囲むと共に長軸方向に沿って長溝で構成した開口から、前記導光体の一部を露出、又は、突出させたケースと、このケースにおける前記導光体を取り囲む側の面と前記導光体の外周面との間に設けられ、前記青色光を吸収して励起された蛍光を放出する蛍光体層と、この蛍光体層の少なくとも一部と前記導光体の内部を介して対向する位置の前記導光体の外周面に、前記長軸方向に沿ってライン状に設けた光反射パターンとを備え、前記青色光が前記導光体を伝搬する過程において、前記蛍光体層は、前記光反射パターンで散乱又は正反射して前記導光体の外周面から出射した青色光を捕捉し、前記青色光を反射させると共に前記青色光とは異なる光学波長の光に変換された２種以上の複合光を生成し、前記蛍光体層で生成された光を前記導光体の内部へ透過させて、前記導光体における前記ケースから露出、又は、突出した一部から前記青色光を含む前記複合光を被照射体に照射するものである。
【００１８】
請求項２に係る発明の画像読み取り用ライン光源は、青色光を発生するＬＥＤ光源と、このＬＥＤ光源を端部に配置し、前記端部から内部に入射した青色光を長軸方向に沿って反射させながら伝搬させる棒状の導光体と、この導光体を取り囲むと共に長軸方向に沿って長溝で構成した開口から、前記導光体の一部を露出、又は、突出させ、前記青色光を吸収して励起された蛍光を放出する蛍光体層と、この蛍光体層における前記導光体を取り囲む側の面と前記導光体の外周面との間に設けられた透明ケースと、前記蛍光体層の少なくとも一部と前記導光体の内部を介して対向する位置の前記導光体の外周面に、前記長軸方向に沿ってライン状に設けた光反射パターンとを備え、前記青色光が前記導光体を伝搬する過程において、前記蛍光体層は、前記光反射パターンで散乱又は正反射して前記導光体の外周面から前記透明ケースを介して出射した青色光を捕捉し、前記青色光を反射させると共に前記青色光とは異なる光学波長の光に変換された２種以上の複合光を生成し、前記蛍光体層で生成された光を前記透明ケースを介して前記導光体の内部へ透過させて、前記導光体における前記蛍光体層から露出、又は、突出した一部から前記青色光を含む前記複合光を被照射体に照射するものである。
【００１９】
請求項３に係る発明の画像読み取り用ライン光源は、青色光を発生するＬＥＤ光源と、このＬＥＤ光源を端部に配置し、前記端部から内部に入射した青色光を長軸方向に沿って反射させながら伝搬させる棒状の導光体と、この導光体を取り囲むと共に長軸方向に沿って長溝で構成した開口から、前記導光体の一部を露出、又は、突出させ、前記導光体を取り囲む面に前記長軸方向に沿って凹部及び凸部が交互に複数形成されたケースと、このケースの前記凹部に設けられ、前記青色光を吸収して励起された蛍光を放出する蛍光体層と、この蛍光体層の少なくとも一部と前記導光体の内部を介して対向する位置の前記導光体の外周面に、前記長軸方向に沿ってライン状に設けた光反射パターンとを備え、前記青色光が前記導光体を伝搬する過程において、前記蛍光体層は、前記光反射パターンで散乱又は正反射して前記導光体の外周面から出射した青色光を捕捉し、前記青色光を反射させると共に前記青色光とは異なる光学波長の光に変換された２種以上の複合光を生成し、前記蛍光体層で生成され、前記ケースの凸部によって前記導光体への入射角度が制限された光を前記導光体の内部へ透過させて、前記導光体における前記ケースから露出、又は、突出した一部から前記青色光を含む前記複合光を被照射体に照射するものである。
【００２０】
請求項４に係る発明の画像読み取り用ライン光源は、青色光を発生するＬＥＤ光源と、このＬＥＤ光源を端部に配置し、前記端部から内部に入射した青色光を長軸方向に沿って反射させながら伝搬させる棒状の導光体と、この導光体を取り囲むと共に長軸方向に沿って長溝で構成した開口から、前記導光体の一部を露出、又は、突出させ、前記導光体を取り囲む面に前記長軸方向と直交する方向に沿って第２凹部及び第２凸部が交互に複数形成され、前記第２凸部が前記開口側を向いた斜面部を有するケースと、このケースの前記第２凹部及び前記斜面部に設けられ、前記青色光を吸収して励起された蛍光を放出する蛍光体層と、この蛍光体層の少なくとも一部と前記導光体の内部を介して対向する位置の前記導光体の外周面に、前記長軸方向に沿ってライン状に設けた光反射パターンとを備え、前記青色光が前記導光体を伝搬する過程において、前記蛍光体層は、前記光反射パターンで散乱又は正反射して前記導光体の外周面から出射した青色光を捕捉し、前記青色光を反射させると共に前記青色光とは異なる光学波長の光に変換された２種以上の複合光を生成し、前記蛍光体層で生成された光を前記導光体の内部へ透過させて、前記導光体における前記ケースから露出、又は、突出した一部から前記青色光を含む前記複合光を被照射体に照射するものである。
【００２１】
請求項５に係る発明の画像読み取り用ライン光源は、青色光を発生するＬＥＤ光源と、このＬＥＤ光源を端部に配置し、前記端部から内部に入射した青色光を長軸方向に沿って反射させながら伝搬させる棒状の導光体と、この導光体を取り囲むと共に長軸方向に沿って長溝で構成した開口から、前記導光体の一部を露出、又は、突出させ、前記導光体を取り囲む面に前記長軸方向に沿って凹部及び凸部が交互に複数形成され、前記導光体を取り囲む面に前記長軸方向と直交する方向に沿って第２凹部及び第２凸部が交互に複数形成され、前記第２凸部が前記開口側を向いた斜面部を有するケースと、このケースの前記第２凹部及び前記斜面部並びに前記凹部よって形成された複数の格子状凹部に設けられ、前記青色光を吸収して励起された蛍光を放出する蛍光体層と、この蛍光体層の少なくとも一部と前記導光体の内部を介して対向する位置の前記導光体の外周面に、前記長軸方向に沿ってライン状に設けた光反射パターンとを備え、前記青色光が前記導光体を伝搬する過程において、前記蛍光体層は、前記光反射パターンで散乱又は正反射して前記導光体の外周面から出射した青色光を捕捉し、前記青色光を反射させると共に前記青色光とは異なる光学波長の光に変換された２種以上の複合光を生成し、前記蛍光体層で生成され、前記ケースの凸部によって前記導光体への入射角度が制限された光を前記導光体の内部へ透過させて、前記導光体における前記ケースから露出、又は、突出した一部から前記青色光を含む前記複合光を被照射体に照射するものである。
【００２２】
請求項６に係る発明の画像読み取り用ライン光源は、紫外光を発生するＬＥＤ光源と、このＬＥＤ光源を端部に配置し、前記端部から内部に入射した紫外光を長軸方向に沿って反射させながら伝搬させる棒状の導光体と、この導光体を取り囲むと共に長軸方向に沿って長溝で構成した開口から、前記導光体の一部を露出、又は、突出させたケースと、このケースにおける前記導光体を取り囲む側の面と前記導光体の外周面との間に設けられ、前記紫外光を吸収して励起された蛍光を放出する蛍光体層と、この蛍光体層の少なくとも一部と前記導光体の内部を介して対向する位置の前記導光体の外周面に、前記長軸方向に沿ってライン状に設けた光反射パターンとを備え、前記紫外光が前記導光体を伝搬する過程において、前記蛍光体層は、前記光反射パターンで散乱又は正反射して前記導光体の外周面から出射した紫外光を捕捉し、前記紫外光を反射させると共に前記紫外光とは異なる光学波長の光に変換された３種以上の複合光を生成し、前記蛍光体層で生成された光を前記導光体の内部へ透過させて、前記導光体における前記ケースから露出、又は、突出した一部から前記紫外光を含む前記複合光を被照射体に照射するものである。
【００２３】
請求項７に係る発明の画像読み取り用ライン光源は、紫外光を発生するＬＥＤ光源と、このＬＥＤ光源を端部に配置し、前記端部から内部に入射した紫外光を長軸方向に沿って反射させながら伝搬させる棒状の導光体と、この導光体を取り囲むと共に長軸方向に沿って長溝で構成した開口から、前記導光体の一部を露出、又は、突出させ、前記紫外光を吸収して励起された蛍光を放出する蛍光体層と、この蛍光体層における前記導光体を取り囲む側の面と前記導光体の外周面との間に設けられた透明ケースと、前記蛍光体層の少なくとも一部と前記導光体の内部を介して対向する位置の前記導光体の外周面に、前記長軸方向に沿ってライン状に設けた光反射パターンとを備え、前記紫外光が前記導光体を伝搬する過程において、前記蛍光体層は、前記光反射パターンで散乱又は正反射して前記導光体の外周面から前記透明ケースを介して出射した紫外光を捕捉し、前記紫外光を反射させると共に前記紫外光とは異なる光学波長の光に変換された３種以上の複合光を生成し、前記蛍光体層で生成された光を前記透明ケースを介して前記導光体の内部へ透過させて、前記導光体における前記蛍光体層から露出、又は、突出した一部から前記紫外光を含む前記複合光を被照射体に照射するものである。
【００２４】
請求項８に係る発明の画像読み取り用ライン光源は、紫外光を発生するＬＥＤ光源と、このＬＥＤ光源を端部に配置し、前記端部から内部に入射した紫外光を長軸方向に沿って反射させながら伝搬させる棒状の導光体と、この導光体を取り囲むと共に長軸方向に沿って長溝で構成した開口から、前記導光体の一部を露出、又は、突出させ、前記導光体を取り囲む面に前記長軸方向に沿って凹部及び凸部が交互に複数形成されたケースと、このケースの前記凹部に設けられ、前記紫外光を吸収して励起された蛍光を放出する蛍光体層と、この蛍光体層の少なくとも一部と前記導光体の内部を介して対向する位置の前記導光体の外周面に、前記長軸方向に沿ってライン状に設けた光反射パターンとを備え、前記紫外光が前記導光体を伝搬する過程において、前記蛍光体層は、前記光反射パターンで散乱又は正反射して前記導光体の外周面から出射した紫外光を捕捉し、前記紫外光を反射させると共に前記紫外光とは異なる光学波長の光に変換された３種以上の複合光を生成し、前記蛍光体層で生成され、前記ケースの凸部によって前記導光体への入射角度が制限された光を前記導光体の内部へ透過させて、前記導光体における前記ケースから露出、又は、突出した一部から前記紫外光を含む前記複合光を被照射体に照射するものである。
【００２５】
請求項９に係る発明の画像読み取り用ライン光源は、紫外光を発生するＬＥＤ光源と、このＬＥＤ光源を端部に配置し、前記端部から内部に入射した紫外光を長軸方向に沿って反射させながら伝搬させる棒状の導光体と、この導光体を取り囲むと共に長軸方向に沿って長溝で構成した開口から、前記導光体の一部を露出、又は、突出させ、前記導光体を取り囲む面に前記長軸方向と直交する方向に沿って第２凹部及び第２凸部が交互に複数形成され、前記第２凸部が前記開口側を向いた斜面部を有するケースと、このケースの前記第２凹部及び前記斜面部に設けられ、前記紫外光を吸収して励起された蛍光を放出する蛍光体層と、この蛍光体層の少なくとも一部と前記導光体の内部を介して対向する位置の前記導光体の外周面に、前記長軸方向に沿ってライン状に設けた光反射パターンとを備え、前記紫外光が前記導光体を伝搬する過程において、前記蛍光体層は、前記光反射パターンで散乱又は正反射して前記導光体の外周面から出射した紫外光を捕捉し、前記紫外光を反射させると共に前記紫外光とは異なる光学波長の光に変換された３種以上の複合光を生成し、前記蛍光体層で生成された光を前記導光体の内部へ透過させて、前記導光体における前記ケースから露出、又は、突出した一部から前記紫外光を含む前記複合光を被照射体に照射するものである。
【００２６】
請求項１０に係る発明の画像読み取り用ライン光源は、紫外光を発生するＬＥＤ光源と、このＬＥＤ光源を端部に配置し、前記端部から内部に入射した紫外光を長軸方向に沿って反射させながら伝搬させる棒状の導光体と、この導光体を取り囲むと共に長軸方向に沿って長溝で構成した開口から、前記導光体の一部を露出、又は、突出させ、前記導光体を取り囲む面に前記長軸方向に沿って凹部及び凸部が交互に複数形成され、前記導光体を取り囲む面に前記長軸方向と直交する方向に沿って第２凹部及び第２凸部が交互に複数形成され、前記第２凸部が前記開口側を向いた斜面部を有するケースと、このケースの前記第２凹部及び前記斜面部並びに前記凹部よって形成された複数の格子状凹部に設けられ、前記紫外光を吸収して励起された蛍光を放出する蛍光体層と、この蛍光体層の少なくとも一部と前記導光体の内部を介して対向する位置の前記導光体の外周面に、前記長軸方向に沿ってライン状に設けた光反射パターンとを備え、前記紫外光が前記導光体を伝搬する過程において、前記蛍光体層は、前記光反射パターンで散乱又は正反射して前記導光体の外周面から出射した紫外光を捕捉し、前記紫外光を反射させると共に前記紫外光とは異なる光学波長の光に変換された３種以上の複合光を生成し、前記蛍光体層で生成され、前記ケースの凸部によって前記導光体への入射角度が制限された光を前記導光体の内部へ透過させて、前記導光体における前記ケースから露出、又は、突出した一部から前記紫外光を含む前記複合光を被照射体に照射するものである。
【００２７】
請求項１１に係る発明の画像読み取り用ライン光源は、前記導光体における前記ケースから露出、又は、突出した一部からライン状に出射する紫外光を遮光する紫外線遮光部が形成された請求項６、８〜１０のいずれかに記載のものである。
請求項１２に係る発明の画像読み取り用ライン光源は、前記導光体における前記透明ケースから露出、又は、突出した一部からライン状に出射する紫外光を遮光する紫外線遮光部が形成された請求項７に記載のものである。
【００２８】
請求項１３に係る発明の画像読み取り用ライン光源は、前記紫外線遮光部が、前記導光体の外周面に前記長軸方向に沿って設けられ、前記導光体における前記ケースから露出、又は、突出した一部からライン状に出射する紫外光を遮光する紫外線遮光パターンである請求項１１に記載のものである。
請求項１４に係る発明の画像読み取り用ライン光源は、前記紫外線遮光部が、前記導光体の外周面に前記長軸方向に沿って設けられ、前記導光体における前記透明ケースから露出、又は、突出した一部からライン状に出射する紫外光を遮光する紫外線遮光パターンである請求項１２に記載のものである。
【００２９】
請求項１５に係る発明の画像読み取り用ライン光源は、前記導光体が、少なくとも前記ケースの凸部の頂点又は前記ケースの第２凸部の一方の頂点で支持されたものである請求項３〜５及び請求項８〜１１、１３のいずれかに記載のものである。
【００３０】
請求項１６に係る発明の画像読み取り用ライン光源は、前記導光体の長軸方向と直交する方向の断面形状が、円形又は多角形である請求項１〜１５のいずれかに記載のものである。
【００３１】
請求項１７に係る発明の画像読み取り用ライン光源は、前記導光体の長軸方向と直交する方向の断面形状が、前記光反射パターンと対向する部分における前記外周面が連続する少なくとも一方側が円弧状に突起した形状である請求項１〜１５のいずれかに記載のものである。
【００３２】
請求項１８に係る発明の画像読み取り用ライン光源は、前記開口が、前記導光体における円弧状に突起した部分を、露出、又は、突出させたものである請求項１７に記載のものである。
【００３３】
請求項１９に係る発明の画像読み取り用ライン光源は、前記導光体の長軸方向と直交する方向の断面形状が、前記光反射パターンと対向する部分が直線形状であって、その直線形状の部分が、前記円弧状に突起した部分側に傾斜した形状である請求項１７又は１８に記載のものである。
【００３４】
請求項２０に係る発明の画像読み取り用ライン光源は、前記蛍光体層の前記導光体の長軸方向と直交する方向の断面形状が、前記開口に近づくにつれ、前記導光体からの距離が離れていくものである請求項１〜１９のいずれかに記載のものである。
【００３５】
請求項２１に係る発明の画像読み取り用ライン光源は、前記蛍光体層が、前記開口に近づくにつれ、前記導光体からの距離が離れていく部分で生成した光の一部を直接被照射体に照射するものである請求項２０に記載のものである。
【００３６】
請求項２２に係る発明の画像読み取り用ライン光源は、光を発生するＬＥＤ光源と、このＬＥＤ光源を端部に配置し、前記端部から内部に入射した光を長軸方向に沿って反射させながら伝搬させる棒状の導光体と、この導光体を取り囲むと共に長軸方向に沿って長溝で構成した開口から、前記導光体の一部を露出、又は、突出させたケースと、このケースにおける前記導光体を取り囲む側の面と前記導光体の外周面との間、又は、前記ケースにおける前記導光体を取り囲む側の面と反対側の面の少なくとも一方に設けられ、前記端部から内部に入射した光を吸収して励起された蛍光を放出する蛍光体層と、この蛍光体層の少なくとも一部と前記導光体の内部を介して対向する位置の前記導光体の外周面に、前記長軸方向に沿ってライン状に設けた光反射パターンとを備え、前記端部から内部に入射した光が前記導光体を伝搬する過程において、前記蛍光体層は、前記光反射パターンで散乱又は正反射して前記導光体の外周面から出射した光を捕捉し、この光を反射させると共に当該光とは異なる光学波長の光に変換された光を生成し、前記蛍光体層で生成された光を前記導光体の内部へ透過させて、前記導光体における前記ケースから露出、又は、突出した一部から前記端部から内部に入射した光及び前記蛍光体層で生成された光を被照射体に照射するものである。
【発明の効果】
【００３７】
この発明（例えば、請求項２２）に係る画像読み取り用ライン光源によれば、長溝で形成した開口から出射する光の長手方向の照明の均一性を確保すると共に蛍光体からの発光色を効率的に被照射体に照射することで発光強度の大きな画像読み取り用ライン光源を得ることができ、光源の省エネルギー化にも寄与することが可能であるという効果を奏する。
【００３８】
請求項１及び６に係る発明は、蛍光体層の保持や蛍光体層と導光体との距離の設定が容易であるという効果を奏する画像読み取り用ライン光源を得ることができる。
【００３９】
請求項２及び７に係る発明は、請求項１及び６に係る発明の効果に加え、蛍光体層を透明ケースの外皮側に容易に形成できるので、透明ケースによって導光体を支持する構造に蛍光体層の形状による制約を与えないという効果を奏する画像読み取り用ライン光源を得ることができる。
【００４０】
請求項３及び８に係る発明は、請求項１及び６に係る発明の効果に加え、蛍光体層で生成された光をケースの凸部によって導光体への入射角度を制限しているので、蛍光体層で生成された光が導体体の外周面での反射又は導光体の内部を導光して、蛍光体層で生成された光が再度蛍光体層に入射することを減じるという効果を奏する画像読み取り用ライン光源を得ることができる。
【００４１】
請求項４及び９に係る発明は、請求項１及び６に係る発明の効果に加え、蛍光体層がケースの第２凹部及び開口側を向いた斜面部に設けられているので、蛍光体層で生成された光のうち、導光体内部にて長軸方向に沿って反射させながら伝搬するものに対して、開口側に向かって伝搬するものが支配的となるので、蛍光体層で生成された光が再度蛍光体層に入射することを減じるという効果を奏する画像読み取り用ライン光源を得ることができる。
【００４２】
請求項５及び１０に係る発明は、請求項３及び８に係る発明が奏する効果と請求項４及び９に係る発明が奏する効果と併せ持った画像読み取り用ライン光源を得ることができる。
【００４３】
請求項１１に係る発明は、請求項１〜６に係る発明の効果に加え、紫外光を遮光することができるという効果を奏する画像読み取り用ライン光源を得ることができる。
請求項１２に係る発明は、請求項７に係る発明の効果に加え、紫外光を遮光することができるという効果を奏する画像読み取り用ライン光源を得ることができる。
【００４４】
請求項１３に係る発明は、請求項１１に係る発明の効果に加え、導光体の一部に紫外線遮光パターンを形成することで容易に紫外光を遮光することができるという効果を奏する画像読み取り用ライン光源を得ることができる。
請求項１４に係る発明は、請求項１２に係る発明の効果に加え、導光体の一部に紫外線遮光パターンを形成することで容易に紫外光を遮光することができるという効果を奏する画像読み取り用ライン光源を得ることができる。
【００４５】
請求項１５に係る発明は、請求項３〜５及び請求項８〜１１、１３に係る発明の効果に加え、ケースの導光体支持構造と、蛍光体層で生成された光の導光体への入射角度を制限するケースの凸部とを一体的に形成することができるという効果を奏する画像読み取り用ライン光源を得ることができる。
【００４６】
請求項１６に係る発明は、請求項１〜１５に係る発明の効果に加え、ケース又は透明ケースの形状を簡便なものとすることができるという効果を奏する画像読み取り用ライン光源を得ることができる。
【００４７】
請求項１７に係る発明は、請求項１〜１５に係る発明の効果に加え、蛍光体層で生成された光が導光体の内部を導光して、蛍光体層で生成された光が再度蛍光体層に入射することを減じる作用を導光体の長軸方向と直交する方向の断面形状から得ることができるという効果を奏する画像読み取り用ライン光源を得ることができる。
【００４８】
請求項１８に係る発明は、請求項１７に係る発明の効果に加え、導光体における円弧状に突起した部分からを被照射体に光を照射することができるという効果を奏する画像読み取り用ライン光源を得ることができる。
【００４９】
請求項１９に係る発明は、請求項１７及び１８に係る発明の効果に加え、蛍光体層で生成された光が導光体の内部を導光して、蛍光体層で生成された光が再度蛍光体層に入射することを減じる作用を蛍光体層が延在する位置から得ることができるという効果を奏する画像読み取り用ライン光源を得ることができる。
【００５０】
請求項２０に係る発明は、請求項１〜１９に係る発明の効果に加え、蛍光体層が開口に近づくにつれ、導光体からの距離が離れていくので、蛍光体層で生成された光が導光体の内部を導光して、蛍光体層で生成された光が再度蛍光体層に入射することを減じる作用を得ることができるという効果を奏する画像読み取り用ライン光源を得ることができる。
【００５１】
請求項２１に係る発明は、請求項２０に係る発明の効果に加え、蛍光体層で生成された光が導光体の一部を直接被照射体に照射することができる可能性が高まるので、導光体の内部を導光して、蛍光体層で生成された光が再度蛍光体層に入射することを減じる作用を蛍光体層が延在する位置から得ることができるという効果を奏する画像読み取り用ライン光源を得ることができる。
【図面の簡単な説明】
【００５２】
【図１】この発明の実施の形態１による画像読み取り用ライン光源の側面断面図である。
【図２】この発明の実施の形態１に係る画像読み取り用ライン光源の斜視図である。
【図３】この発明の実施の形態１に係る画像読み取り用ライン光源の構成を説明する展開斜視図である。
【図４】この発明の実施の形態１に係る画像読み取り用ライン光源の断面図である。
【図５】この発明の実施の形態１に係る画像読み取り用ライン光源の光路を説明する側面図である。
【図６】この発明の実施の形態１に係る画像読み取り用ライン光源の光路を説明する断面図である。
【図７】この発明の実施の形態１に係る画像読み取り用ライン光源の導光体ケースを変更した展開斜視図である。
【図８】この発明の実施の形態１に係る画像読み取り用ライン光源の導光体ケースを変更した断面図である。
【図９】蛍光体の厚みと発光輝度との関係を説明する図である。
【図１０】この発明の実施の形態１に係る画像読み取り用ライン光源の照明発光特性を説明する図である。
【図１１】この発明の実施の形態２に係る画像読み取り用ライン光源の側面断面図である。
【図１２】この発明の実施の形態２に係る画像読み取り用ライン光源の斜視図である。
【図１３】この発明の実施の形態２に係る画像読み取り用ライン光源に搭載する紫外線カットフィルタの特性を説明する図である。
【図１４】この発明の実施の形態１又は２に係る画像読み取り用ライン光源の反射パターンのサイズを説明する断面図であり、図１４（ａ）は細幅サイズ、図１４（ｂ）は広幅サイズを示す。
【図１５】この発明の実施の形態１又は２に係る画像読み取り用ライン光源の反射パターンの位置を説明する断面図であり、図１５（ａ）は端部付近、図１５（ｂ）は中央部付近を示す。
【図１６】この発明の実施の形態３に係る画像読み取り用ライン光源の蛍光体層の位置を説明する断面図であり、図１６（ａ）は端部付近、図１６（ｂ）は中央部付近を示す。
【図１７】この発明の実施の形態３に係る画像読み取り用ライン光源の蛍光体層の領域を説明する断面図であり、図１７（ａ）は端部付近、図１７（ｂ）は中央部付近を示す。
【図１８】この発明の実施の形態４に係る画像読み取り用ライン光源の断面図であり、図１８（ａ）は端部付近、図１８（ｂ）は中央部付近を示す。
【図１９】この発明の実施の形態５に係る画像読み取り用ライン光源の断面図であり、図１９（ａ）は端部付近、図１９（ｂ）は中央部付近を示す。
【図２０】この発明の実施の形態５に係る画像読み取り用ライン光源の反射パターンを付加した断面図であり、図２０（ａ）は端部付近、図２０（ｂ）は中央部付近を示す。
【図２１】この発明の実施の形態６に係る画像読み取り用ライン光源の断面図であり、図２１（ａ）は端部付近、図２１（ｂ）は中央部付近を示す。
【図２２】この発明の実施の形態６に係る画像読み取り用ライン光源の反射パターンを付加した断面図であり、図２２（ａ）は端部付近、図２２（ｂ）は中央部付近を示す。
【図２３】この発明の実施の形態７に係る画像読み取り用ライン光源の断面図であり、図２３（ａ）は端部付近、図２３（ｂ）は中央部付近を示す。
【図２４】この発明の実施の形態７に係る画像読み取り用ライン光源の反射パターンを付加した断面図であり、図２４（ａ）は端部付近、図２４（ｂ）は中央部付近を示す。
【図２５】この発明の実施の形態８に係る画像読み取り用ライン光源の中央部付近の断面図である。
【図２６】この発明の実施の形態８に係る画像読み取り用ライン光源の側面断面図である。
【図２７】この発明の実施の形態９に係る画像読み取り用ライン光源のホルダー近傍の展開斜視図である。
【図２８】この発明の実施の形態９に係る画像読み取り用ライン光源の導光体部分の断面図（短軸方向）である。
【図２９】この発明の実施の形態１０に係る画像読み取り用ライン光源のホルダー近傍の展開斜視図である。
【図３０】この発明の実施の形態１０に係る画像読み取り用ライン光源の斜視図（ホルダーなし）及び導光体部分の断面図（短軸方向）である。
【図３１】この発明の実施の形態１１に係る画像読み取り用ライン光源の側面図及びホルダー近傍の展開斜視図である。
【図３２】この発明の実施の形態１１に係る画像読み取り用ライン光源の導光体部分の断面図（短軸方向）である。
【図３３】この発明の実施の形態１１に係る画像読み取り用ライン光源の導光体部分の断面図（短軸方向）である。
【図３４】この発明の実施の形態１１に係る画像読み取り用ライン光源の導光体部分の断面図（短軸方向）である。
【図３５】この発明の実施の形態１１に係る画像読み取り用ライン光源の導光体部分の断面図（短軸方向）である。
【図３６】この発明の実施の形態１２に係る画像読み取り用ライン光源のホルダー近傍の展開斜視図である。
【図３７】この発明の実施の形態１２に係る画像読み取り用ライン光源の導光体部分の透視図である。
【図３８】この発明の実施の形態１２に係る画像読み取り用ライン光源のホルダー近傍の断面図である。
【図３９】この発明の実施の形態１２に係る画像読み取り用ライン光源の導光体ケース及び蛍光体層の詳細段面図である。
【図４０】この発明の実施の形態１２に係る画像読み取り用ライン光源の導光体ケース及び蛍光体層の詳細段面図である。
【図４１】この発明の実施の形態１２に係る画像読み取り用ライン光源の導光体ケース及び蛍光体層の詳細段面図である。
【図４２】この発明の実施の形態１２に係る画像読み取り用ライン光源の導光体ケース及び蛍光体層の詳細段面図である。
【図４３】この発明の実施の形態１３に係る画像読み取り用ライン光源の導光体ケース及び蛍光体層の詳細斜視図である。
【図４４】この発明の実施の形態１３に係る画像読み取り用ライン光源の導光体部分の断面図（短軸方向）である。
【図４５】この発明の実施の形態１３に係る画像読み取り用ライン光源の導光体ケース及び蛍光体層の詳細斜視図（端部）である。
【図４６】この発明の実施の形態１３に係る画像読み取り用ライン光源の導光体ケース及び蛍光体層の詳細斜視図（端部）である。
【発明を実施するための形態】
【００５３】
実施の形態１．
この発明の実施の形態１による画像読み取り用ライン光源について図１〜図４を用いて説明する。図１は、この発明の実施の形態１による画像読み取り用ライン光源の側面断面図である。図２は、この発明の実施の形態１による画像読み取り用ライン光源の斜視図である。図３は、この発明の実施の形態１による画像読み取り用ライン光源の構成を説明する展開斜視図である。図４は、この発明の実施の形態１による画像読み取り用ライン光源の図３端部から見た断面図である。
【００５４】
ＬＥＤ光源１は青色光を発光するＬＥＤ発光素子を用いた波長が約４３０ｎｍ〜４７０ｎｍ程度の光源である。ＬＥＤ回路２は、エポキシ材などの基板２ａ（ＬＥＤ基板２ａ）にＬＥＤ光源１を載置すると共に外部からの電源をＬＥＤ光源１に供給するコネクタ２ｂとからなる。ＬＥＤ回路２における基板２ａのＬＥＤ光源１と対向する面と反対の面に放熱板２ｃを設けてもよい。本願に係る図面では放熱板２ｃやコネクタ２ｂの図示を省略しているものもある。導光体３は透明なソーダガラス、透明な樹脂、又は透過率が８０％程度の透明サファイアなど、屈折率（ｎ）が１．５以上を有する部材を棒状に成形加工したもので、端部を鏡面処理し、この端部からＬＥＤ光源１の光を入射させ、内部に入射した青色光を長手方向（長軸方向）に沿って導光する。
【００５５】
この導光体３の内部を長軸方向に通過する光の経路を導光路と呼び、導光体３の長軸方向と直交する方向を通過する光の経路を横断路（透過路）と呼ぶ。横断路（透過路）は、蛍光発光射出経路ともいえる。なお、本願に係る画像読み取り用ライン光源における出射領域へ光が導光される経路は、横断路（透過路）が支配的になっているものといえる。また、長軸方向は、本願に係る画像読み取り用ライン光源が搭載される画像読み取り機器の主走査方向に相当し、長軸方向と直交する方向（短軸方向，短手方向）は、画像読み取り機器の副走査方向（原稿などの被照射体が搬送される搬送方向）に相当する。
【００５６】
図４に示す一例では、円柱状の導光体３の外周面に対して０．１ｍｍ程度の所定の隙間（ｄ）を隔てて内周面に蛍光体層（蛍光体）５を塗布した白色の反射板６（導光体ケース６，単に「ケース６」や、「屈曲反射板６」ともいう）が、導光体３を取り囲むように設置される。すなわち、導光体３の外周面と反射板６の内周面（導光体２を取り囲む側の面）とは長軸方向の読み取り領域（有効読取幅）に対して中心軸を同一とする同心円状に構成される。
【００５７】
反射板６には、長軸方向に沿って長軸方向と直交する方向に一定幅の長溝を形成することで光を被照射体に出射する取り出し口（出射領域）となる開口部６ａ（単に「開口６ａ」ともいう）を設けている。この長軸方向に沿って長溝で構成した開口６ａから、導光体３の一部を露出（実施の形態１〜９では、図示していないが「突出」させてもよい。）している。開口部６ａの端部（反射板６、又は、反射板６及び蛍光体層５の長軸方向に沿った端部に相当）を長溝端部と呼ぶ。それぞれの長溝端部と所定の隙間を空けて対向する導光体３の外周面には、長軸方向に沿ってシルク印刷用の白色の光反射部材又は導光体３に直接切溝で形成したレンチキュラーレンズやプリズムパターンを用いて光反射パターン４（導光体反射パターン４，光散乱パターン４）が互いに平行して、長軸方向に沿って二列形成される。光反射パターン４は長軸方向に沿って一列であってもよい。光反射パターン４は、蛍光体層５の少なくとも一部と導光体３の内部を介して対向する位置の導光体３の外周面に、長軸方向に沿って設けられているともいえる。
【００５８】
また、光反射パターン４は、長軸方向に沿ってライン状に設けられているといえる。ライン状とは、光反射パターン４が長軸方向に沿って連続していないものやパターンのピッチが変化しているものも含み、総じて長軸方向に沿って連続的に形成されているものとする。さらに、光反射パターン４は、長溝端部からはみ出し、開口部６ａ側に一部又は全部出ていてもよい（長軸方向及び短軸方向ともに）。したがって、導光体３の導光路を通過する青色光の一部は光反射パターン４で散乱又は正反射して導光体３の内部の横断路を透過して導光体３の表面から出射し、反射板６の蛍光体層５で捕捉される。
【００５９】
実施の形態１を含む本願に係る画像読み取り用ライン光源（ライン光源）における開口部６ａは、一箇所に形成されたものを説明しているが、開口部６ａを長軸方向に沿って二箇所に形成して、二方向に光（後述の複合光）を照射してもよい。図３のように、長軸方向の端部におけるケース６の開口部６ａによって切り欠き状になっている部分が接続された状態のものを準備することで、容易に開口部６ａを長軸方向に沿って二箇所に形成することができる。
【００６０】
反射板６の内面には、約５０μｍの厚み（ｔ）の蛍光体層５が塗布される。この蛍光体層５には、波長が約６００ｎｍ程度の赤色発光する蛍光体と波長が５２５ｎｍ程度の緑色発光する蛍光体とが混合して塗布され、この蛍光体層５で青色光を捕捉し、一部の青色光は反射し、導光体３の内部を横断して開口部６ａから被照射体に照射される。その他の青色光は蛍光体層５で吸収され励起された蛍光を放出する。すなわち、蛍光体層５は青色光とは異なる波長の光に変換された２種の複合光（混色光）を生成する。
【００６１】
生成された蛍光は導光体３の内部を横断して開口部６ａから複合光として被照射体に照射される。したがって青色光、赤色光、緑色光が混合した擬似白色光が被照射体に照明される。なお、導光体３は図３に示すように反射板６の両端部と中央部に設けた突起部６ｂで固定される。蛍光体層５がシート状のものである場合は、突起部６ｂが、蛍光体層５の孔部を介して、導光体３を支持することができることが図３から分かる。また、蛍光体層５がシート状のものである場合は、蛍光体層５の孔部に突起部６ｂを挿入することで、蛍光体層５の位置決めを、突起部６ｂ、つまり、ケース６（反射板６）によって行うことができる。
【００６２】
実施の形態１（本願）に係るライン光源（画像読み取り用ライン光源）は、中空部を有するホルダー７の中空部の一端側にＬＥＤ回路２の基板２ａに載置したＬＥＤ光源１を収納し、他端側に導光体３を組み込んだ反射板６の端部を挿入することで構成される。図１では、ホルダー７は反射板６の両端側に設けられ、ＬＥＤ光源１から照射される青色光は導光体３の両側から入射するものを図示しているが、導光体３の片方の端部だけにホルダー７及びＬＥＤ光源１を配設する構成でもよいことはいうまでもない。
【００６３】
次にＬＥＤ光源１とホルダー７との関係について説明する。導光体３の端部に設けられる青色発光のＬＥＤ光源１を搭載するＬＥＤ回路２は、その保持機構であるホルダー７で固定され、ＬＥＤ回路２は導光体３や反射板６に対して導光体３の端部で光が通過する照射軸を中心とする光学位置が一致するように取り付けられ、ＬＥＤ回路２には単数又は複数の青色ＬＥＤが配置される。またホルダー７の構造によりＬＥＤ光源１は導光体３の端部に対して所定の間隔を保持し、ＬＥＤ光源１から出射する青色光が安定して導光体３の内部に取り込まれるように構成される。
【００６４】
また、ホルダー７は導光体３や反射板６の位置ずれを防止するために図１に示す２段の嵌め合わせの差込構造を持ち、導光体３の両端部で位置決めを行う構造としている。さらに、導光体３に対するホルダー７の嵌め合わせは例えば導光体３の直径が４ｍｍでは、２ｍｍ以上の深さとし、ＬＥＤ光源１から入射される青色光が導光体３の表面に対して全反射角よりも小さな角度で入射した光だけが導光体３の内部へ入射するようにし、ホルダー７の外部においてはＬＥＤ光源１の直接光が照明光として直接関与しない構造としている。なお、ホルダー７の近傍で、図３では長軸方向の端部におけるケース６の開口部６ａによって切り欠き状になっている部分を接続させた構造とすることで、開口部６ａを長軸方向に沿って二箇所に形成することによる画像読み取り用ライン光源の性能劣化を防ぐことができる。
【００６５】
次に、実施の形態１（本願）に係るライン光源（画像読み取り用ライン光源）の動作について図５及び図６を用いて説明する。図５は、この発明の実施の形態１による画像読み取り用ライン光源の光路を説明する側面図である。図６は、この発明の実施の形態１による画像読み取り用ライン光源の光路を説明する断面図である。
【００６６】
ＬＥＤ光源１から発せられた光は透明材料により形成された円柱状（棒状）の導光体３の内部を一端側から他端側に向かって導光される、つまり、端部から内部に入射した青色光を長軸方向に沿って反射させながら伝搬させる過程において、導光体３に設けられた光反射パターン４で光は散乱又は正反射され、蛍光体層５へ照射される。蛍光体層５で発光した蛍光と蛍光体層５で反射された青色光が混色し、導光体３を経由して反射板６の開口部６ａから原稿などの被照射体に向かって蛍光と青色光との複合光（混色光）が照射される。
【００６７】
導光体３は外部空間より高い屈折率を保有しているので導光体３の端部から入射された光は鏡面状態の導光体３の表面に到達したとき、全反射角よりも大きな角度で入射し、表面で全反射されることにより導光体３内部の導光路を伝搬する。
【００６８】
一部の光は光反射パターン４で反射し、反射角が変更され、全反射角より小さな角度で導光体３の表面から外部へ放射される。この光は反射板６の内面に塗布された蛍光体層５に照射される。反射板６は、突起部６ｂによる導光体３の支持部材としてだけでなく、反射板６における導光体３を取り囲む側の面と導光体３の外周面との間に設けられた蛍光体層５の支持部材としての役目も担っている。実施の形態１において、反射板６は、反射板６の導光体３側にある反射板６の内面に形成される蛍光体層５の支持基板（支持部材）としての役目も担っているといえる。
【００６９】
導光体３の外周面と反射板６内周面とは所定の隙間（ギャップ）を有しており、この隙間を一定にすることにより、蛍光体層５の導光体３に対する位置の安定性を確保する。また、図３及び図４に示すように反射板６は両端部及び中央部の３箇所の内面に約０．１ｍｍの高さの導光体３との接触面積が小さい突起部６ｂ（導光体３の支持部材）を有しており、この突起部６ｂと導光体３とが密接することにより、反射板６の内面に形成されている蛍光体層５と導光体３との間に所定の隙間（ｄ＞ｔ）を維持する。
【００７０】
蛍光体層５は、赤色や緑色（黄緑色）などの蛍光波長を持つ染料又は顔料で形成され、導光体３の光反射パターン４に対向する反射板６の内面に主体的に形成される。導光体３から蛍光体層５へ照射される青色光は、蛍光体層５からの蛍光と蛍光体層５の表面で反射した青色光の拡散反射光が合わさって導光体３の横断路を透過して反射板６の開口部６ａより放射され、被照射体に対して白色光による照明を行う。
【００７１】
なお、実施の形態１では、反射板６の突起部６ｂは反射板６の両端部及び中央部に設けたが図７及び図８に示すように長軸方向に一様に連続的に設けても良い。すなわち、導光体３と蛍光体層５が塗布された反射板６との隙間を維持する機構として、実施の形態１では長軸方向に所定間隔の突起部６ｂを反射板６の内面に形成したが、反射板６の長軸方向に三角柱や半円柱状の突起部６ｃを連続的にライン状に形成することで、反射板６の突起部６ｂとし、導光体３と蛍光体層５との位置関係を保持する機構としても良い。この場合には、反射板６の短軸断面形状が長軸方向に亘って同一になるので反射板６の成形加工が容易になる。
【００７２】
図９は、蛍光体の厚みと発光輝度との関係を説明する図である。蛍光体層５は約５０μｍの膜厚としたが、図９に示すように、青色光を照射した際に発光強度が飽和する厚みで蛍光体層５を形成することにより、蛍光を生成する変換効率を向上させて、省エネルギー化を図ると共に蛍光体層５の膜厚のばらつきによる発光強度が不均一になることを防止することができる。
【００７３】
図１０は、この発明の実施の形態１による画像読み取り用ライン光源の照明発光特性を説明する図である。図１０では、４５０ｎｍ程度のピーク波長と、約５００〜６３０ｎｍに亘る蛍光体で発光した複合光とが合わさり白色光を呈する。
【００７４】
以上の構造を持つ実施の形態１に係る画像読み取り用ライン光源では、蛍光体層５で反射した青色光と蛍光体層５で生成された複合光は混色し、導光体３の内部を透過し、反射板６の開口部６ａから被照射体に白色の照明光を与える。さらに、導光体３が円柱状の形状をしているので、蛍光体層５の表面で反射した反射光や生成された蛍光は導光体３で集光され、そのレンズ効果により、被照射体に対する照明照度を向上させるという効果がある。
【００７５】
実施の形態２．
実施の形態１では、青色ＬＥＤを用いたライン光源の構成について説明したが、実施の形態２では、紫外線ＬＥＤを用いたライン光源の構成について図１１及び図１２を用いて説明する。ＬＥＤ光源及び蛍光体層並びに紫外線遮光パターン（紫外線遮光パターン）に関する構成以外の構成は、実施の形態1及び２に係る画像読み取り用ライン光源ともに基本的に同じである。図１１は、この発明の実施の形態２による画像読み取り用ライン光源の側面断面図である。図１２は、この発明の実施の形態２による画像読み取り用ライン光源の斜視図である。
【００７６】
ＬＥＤ光源１１は紫外線を発光するＬＥＤ発光素子を用いた波長が約３５０ｎｍ〜３８０ｎｍまでの光源である。ＬＥＤ回路２は、エポキシ材などの基板２ａにＬＥＤ光源１１を載置すると共に外部からの電源をＬＥＤ光源１１に供給するコネクタ２ｂとからなる。導光体３は透明なソーダガラス、透明な樹脂、又は透過率が８０％程度の透明サファイアなど、屈折率（ｎ）が１．５以上を有する部材を棒状に成形加工したもので、端部を鏡面処理し、この端部からＬＥＤ光源１１の光を入射させ、内部に入射した紫外光（紫外線）を長手方向（長軸方向）に沿って導光する。この導光体３の内部を長軸方向に通過する光の経路を導光路と呼び、導光体３の長軸方向と直交する方向を通過する光の経路を横断路（透過路）と呼ぶ。
【００７７】
円柱状（棒状）の導光体３の外周面に対して０．１ｍｍ程度の所定の隙間を隔てて内周面に蛍光体を塗布した白色の反射板（導光体ケース）６が導光体３を取り囲むように設置される構成については実施の形態１で説明したものと同一なので詳細説明を省略する。
【００７８】
反射板６には、長軸方向に沿って長軸方向と直交する方向に一定幅の長溝を形成することで光を被照射体に出射する取り出し口となる開口部６ａ（開口６ａ）を設けている。この長軸方向に沿って長溝で構成した開口６ａから、導光体３の一部を露出（実施の形態１〜９では、図示していないが「突出」させてもよい。）している。開口部６ａの端部を長溝端部と呼ぶ。それぞれの長溝端部と所定の隙間を空けて対向する導光体３の外周面には、長軸方向に沿ってシルク印刷用の白色の光反射部材又は導光体３に直接切溝で形成したレンチキュラーレンズやプリズムパターンを用いて光反射パターン４が互いに平行して、長軸方向に沿って二列形成される。光反射パターン４は長軸方向に沿って一列であってもよい。光反射パターン４は、蛍光体層５の少なくとも一部と導光体３の内部を介して対向する位置の導光体３の外周面に、長軸方向に沿って設けられているともいえる。
【００７９】
また、光反射パターン４は、長軸方向に沿ってライン状に設けられているといえる。ライン状とは、光反射パターン４が長軸方向に沿って連続していないものやパターンのピッチが変化しているものも含み、総じて長軸方向に沿って連続的に形成されているものとする。さらに、光反射パターン４は、長溝端部からはみ出し、開口部６ａ側に出ていてもよい（長軸方向及び短軸方向ともに）。したがって、導光体３の導光路を通過する紫外光の一部は光反射パターン４で散乱又は正反射して導光体３の内部の横断路を透過して導光体３の表面から出射し、反射板６の蛍光体層５１で捕捉される。
【００８０】
反射板６の内面には、約５０μｍの厚み（ｔ）の蛍光体層５１が塗布される。この蛍光体層５１には、波長が約６００ｎｍ程度の赤色発光する蛍光体、波長が５２５ｎｍ程度の緑色発光する蛍光体、及び波長が４５０ｎｍ程度の青色発光させる蛍光体が混合して塗布され、この蛍光体層５１で紫外光を捕捉し、一部の紫外光は反射し、導光体３の内部を横断して開口部６ａから被照射体に照射される。その他の紫外光は蛍光体層５１で吸収され励起された蛍光を放出する。すなわち、蛍光体層５１は紫外光と異なる波長の光に変換された３種の複合光（混色光）を生成する。この生成された蛍光は導光体３の内部を横断して開口部６ａから複合光として被照射体に照射される。したがって青色光、赤色光、緑色光が混合した擬似白色光が被照射体に照明される。
【００８１】
実施の形態２（本願）に係るライン光源（画像読み取り用ライン光源）は、中空部を有するホルダー７の中空部の一端側にＬＥＤ回路２の基板２ａに載置したＬＥＤ光源１１を収納し、他端側に導光体３を組み込んだ反射板６の端部を挿入することで構成される。図１１では、ホルダー７は反射板６の両端側に設けられ、ＬＥＤ光源１１から照射される紫外光は導光体３の両側から入射するものを図示しているが、導光体３の片方の端部だけにホルダー７及びＬＥＤ光源１１を配設する構成でもよいことはいうまでもない。なお、ＬＥＤ光源１１とホルダー７との関係及びライン光源の動作については、実施の形態１で説明した「ＬＥＤ光源１とホルダー７との関係及びライン光源の動作」と同一なので説明を省略する。図１１及び図１２中、図１及び図２と同一符号は、同一又は相当部分を示す。
【００８２】
実施の形態２では、紫外光が被照射体に入射しないように、導光体３におけるケース６からライン状に出射する紫外光を遮光する紫外線遮光部が形成されている。実施の形態２において、具体的には紫外線遮光部が、導光体３の外周面に長軸方向に沿って設けられ、導光体３におけるケース６からライン状に出射する紫外光を遮光する紫外線遮光パターン８（紫外線カットパターン８，紫外線カットフィルタ８）であるものを例に説明を行う。
【００８３】
実施の形態２に係る画像読み取り用ライン光源には、二列の光反射パターン４に挟まれた導光体３の外周面に長軸方向に沿って反射板６の開口部６ａからライン状に出射する紫外光を遮光する紫外線遮光パターン（紫外線カットフィルタ）８を設けている。すなわち、光反射パターン４に挟まれた導光体３の外周面に長軸方向に沿って反射板６の開口部６ａからライン状に出射する紫外光を遮光する紫外線遮光パターン８を設けている。紫外線カットフィルタ８は、図１３に示すように遮断波長が約４３０ｎｍ付近にあり、４３０ｎｍ以下の短波長側の波長をカットし、青色光を含む長波長側の光を透過させるフィルタ材料を導光体３に塗布又は蒸着して用いる。
【００８４】
なお、導光体３の外周面に、光反射パターン４が片側の長溝端部の近傍に一列のみ形成されている場合、紫外線遮光パターン（紫外線カットフィルタ）８は、二つの長溝端部に挟まれて形成され、導光体３の外周面に長軸方向に沿って反射板６の開口部６ａからライン状に出射する紫外光を遮光するものといえる。
【００８５】
このようにして蛍光体層５１などで反射された紫外光は照明光としては不要である場合は、紫外線遮光部である紫外線遮光パターン（紫外線カットフィルタ）８を画像読み取り用ライン光源に形成すればよい。この紫外線カットフィルタ８を透過した蛍光の可視光のみが被照射体に照射される。本実施の形態２では実施の形態１で説明した青色ＬＥＤを用いた図１０に示す発光スペクトルに対して、青色発光成分に強い発光ピークが無い発光スペクトルを得ることが可能となる。すなわち、実施の形態２に係る画像読み取り用ライン光源は、可視光領域でフラットな発光スペクトルを持つ照明となり得る。
【００８６】
以上の構造を持つ実施の形態２に係る画像読み取り用ライン光源では、開口部６ａに到達した紫外光は紫外線カットフィルタ８で遮光され、蛍光体層５１で生成された複合光は導光体３の内部を透過して反射板６の開口部６ａから被照射体に白色の照明光を与える。さらに導光体３が円柱状の形状をしているので、蛍光体層５で生成した蛍光は導光体３で集光され、そのレンズ効果により、被照射体に対する照明照度を向上させるという効果もある。
【００８７】
実施の形態１及び２に係る画像読み取り用ライン光源の説明では、光反射パターン４の幅（短軸方向の幅）について言及しなかったが、光反射パターン４の幅は、図１４（ａ）に示すようにＷ１＝０．２ｍｍ程度の細幅から図１４（ｂ）に示すようにＷ２＝０．３ｍｍ程度の比較的広い細幅のパターンが適当である。
【００８８】
実施の形態１及び２に係る画像読み取り用ライン光源の説明では、光反射パターン４の位置は、長溝で形成した開口部６ａのそれぞれの端部と隙間を空けて対向する導光体３の外周面に設けるようにしたが、前述したように、光反射パターン４は、長溝端部からはみ出し、開口部６ａ側に一部又は全部出ていてもよい（長軸方向及び短軸方向ともに）。一部出た光反射パターン４を図１５（ａ）（ｂ）示す。光反射パターン４は、図１５（ａ）及び図１５（ｂ）に示すように一部が開口部６ａ側に入り込んでいても実施の形態１及び２で説明したものと同様な効果を奏する。
【００８９】
実施の形態３．
図１６は、この発明の実施の形態３による画像読み取り用ライン光源の蛍光体層の位置を説明する断面図であり、図１６（ａ）は端部付近（突起部６ｂを有する部分）、図１６（ｂ）は中央部付近を示す。図１７は、この発明の実施の形態３による画像読み取り用ライン光源の蛍光体層の領域を説明する断面図であり、図１７（ａ）は端部付近（突起部６ｂを有する部分）、図１７（ｂ）は中央部付近を示す。実施の形態３に係る画像読み取り用ライン光源において、実施の形態1及び２に係る画像読み取り用ライン光源と基本的に同じ部分は説明を省略する。
【００９０】
実施の形態１及び２では、反射板６の内面全域に蛍光体層５（蛍光体層５１）を塗布したが実施の形態３では、長軸方向に沿って長軸方向と直交する方向に一定幅の蛍光体層５（蛍光体層５１）を複数個ライン状に設け、長軸方向に沿って延在させている。隣接する蛍光体層５（蛍光体層５１）間にスリット部を設ける。また、少なくとも蛍光体層５（蛍光体層５１）が塗布（形成）されない反射板６の内面表面領域を黒色などの光吸収材で遮光することにより、青色光を吸収し、図１０に示す青色ＬＥＤ発光成分の発光輝度を軽減することで蛍光体層発光成分の輝度に近づけることもできる。すなわち、導光体ケース（反射板）６に黒色プラスチィック樹脂を適用することで白色発光スペクトルの輝度調節も可能である。このような方法での輝度調節が必要ない場合は、反射板６の内面表面領域を黒色をとせず、白色としても実施の形態３に係る画像読み取り用ライン光源を実施できる。
【００９１】
実施の形態１及び２では、反射板６の内面全域に蛍光体層を塗布したが、図１７に示すように蛍光体層５の塗布領域は反射板６の内面全域に限らず、開口部６ａと対向する反射板６の領域を主体に２ｍｍ幅で３ライン程度の蛍光体層５を設け、黒色の導光体ケース６を用いることにより、青色ＬＥＤ発光成分の発光輝度をさらに軽減することができる。このような方法での輝度調節が必要ない場合は、反射板６の内面表面領域を黒色をとせず、白色としても実施の形態３に係る画像読み取り用ライン光源を実施できる。
【００９２】
実施の形態４．
実施の形態１〜３では、円柱状の導光体を用いたライン光源（画像読み取り用ライン光源）の構成について説明したが、実施の形態４では、短軸側断面が楕円状の導光体を用いたライン光源の構成について図１８を用いて説明する。図１８は、この発明の実施の形態４による画像読み取り用ライン光源の断面図であり、図１８（ａ）は端部付近（突起部６１ｂを有する部分）、図１８（ｂ）は中央部付近を示す。
【００９３】
短軸側断面が楕円状の棒状導光体３１の外周面に対して０．１ｍｍ程度の所定の隙間を隔てて内周面に蛍光体を塗布した白色の反射板６１（導光体ケース６１，単に「ケース６１」や、「屈曲反射板６１」ともいう）が導光体３１を取り囲むように設置される構成以外は実施の形態１〜３で説明したものと同一なので説明を省略する。
【００９４】
反射板６１には、長軸方向に沿って長軸方向と直交する方向に一定幅の長溝を形成することで光を被照射体に出射する取り出し口となる開口部６１ａ（単に「開口６１ａ」ともいう）を設けている。この長軸方向に沿って長溝で構成した開口６１ａから、導光体３１の一部を露出（実施の形態１〜９では、図示していないが「突出」させてもよい。）している。開口部６１ａの端部を長溝端部と呼ぶ。それぞれの長溝端部と所定の隙間を空けて対向する導光体３１の外周面には、長軸方向に沿ってシルク印刷用の白色の光反射部材又は導光体３に直接切溝で形成したレンチキュラーレンズやプリズムパターンを用いて光反射パターン４が互いに平行して、長軸方向に沿って二列形成される。光反射パターン４は長軸方向に沿って一列であってもよい。光反射パターン４は、蛍光体層５の少なくとも一部と導光体３１の内部を介して対向する位置の導光体３の外周面に、長軸方向に沿って設けられているともいえる。
【００９５】
また、光反射パターン４は、長軸方向に沿ってライン状に設けられているといえる。ライン状とは、光反射パターン４が長軸方向に沿って連続していないものやパターンのピッチが変化しているものも含み、総じて長軸方向に沿って連続的に形成されているものとする。さらに、光反射パターン４は、長溝端部からはみ出し、開口部６１ａ側に一部又は全部出ていてもよい（長軸方向及び短軸方向ともに）。したがって、導光体３１の導光路を通過する青色光の一部は光反射パターン４で散乱又は正反射して導光体３１の内部の横断路を透過して導光体３１の表面から出射し、反射板６１の蛍光体層５で捕捉される。
【００９６】
反射板６１の内面には、約５０μｍの厚み（ｔ）の蛍光体層５が塗布される。この蛍光体層５には、波長が約６００ｎｍ程度の赤色発光する蛍光体と波長が５２５ｎｍ程度の緑色発光する蛍光体とが混合して塗布され、この蛍光体層５で青色光を捕捉し、一部の青色光は反射し、導光体３１の内部を横断して開口部６１ａから被照射体に照射される。その他の青色光は蛍光体層５で吸収され励起された蛍光を放出する。すなわち、蛍光体層５は青色光とは異なる波長の光に変換された２種の複合光（混色光）を生成する。
【００９７】
生成された蛍光は導光体３１の内部を横断して開口部６１ａから複合光として被照射体に照射される。したがって青色光、赤色光、緑色光が混合した擬似白色光が被照射体に照明される。なお、ＬＥＤ光源とホルダーとの関係及びライン光源の動作については、実施の形態１〜３で説明したものと同一なので説明を省略する。図１８中、図４と同一符号は、同一又は相当部分を示す。
【００９８】
以上の構造を持つ実施の形態４に係る画像読み取り用ライン光源では、蛍光体層５で反射した青色光と蛍光体層５で生成された複合光は混色し、導光体３１の内部を透過し、反射板６１の開口部６１ａから被照射体に白色の照明光を与える。さらに、導光体３１の断面が楕円状の形状をしているので、蛍光体層５の表面で反射した反射光や生成された蛍光は導光体３１で集光され、そのレンズ効果により、被照射体に対する照明照度を向上させるという効果があると共に断面が楕円状であるので楕円形の長軸方向に多数のＬＥＤ光源を搭載できる利点がある。
【００９９】
なお、実施の形態４に係る画像読み取り用ライン光源は、実施の形態２に係る画像読み取り用ライン光源におけるＬＥＤ光源１１，蛍光体層５１に相当する構成をＬＥＤ光源１１，蛍光体層５１に置換し、紫外線遮光パターン８を形成することにより、開口部６１ａに到達した紫外光は紫外線カットフィルタ８で遮光され、蛍光体層５１で生成された複合光は導光体３１の内部を透過して反射板６１の開口部６１ａから被照射体に白色の照明光を与えることも可能である。すなわち、実施の形態４に係る画像読み取り用ライン光源は、蛍光体層５１は紫外光とは異なる波長の光に変換された３種の複合光（混色光）を生成するものでもよい。
【０１００】
実施の形態５．
実施の形態１〜３では、円柱状の導光体を用いたライン光源の構成について説明したが、実施の形態５では、短軸側断面が楕円状の導光体に切り欠き部を設けたライン光源の構成について図１９及び図２０を用いて説明する。図１９は、この発明の実施の形態５による画像読み取り用ライン光源の断面図であり、図１９（ａ）は端部付近（突起部６２ｂを有する部分）、図１９（ｂ）は中央部付近を示す。図２０は、この発明の実施の形態５による画像読み取り用ライン光源の反射パターンを付加した断面図であり、図２０（ａ）は端部付近（突起部６２ｂを有する部分）、図２０（ｂ）は中央部付近を示す。
【０１０１】
図１９において、短軸側断面が楕円状の棒状導光体３２の一部に切り欠き部６２ｃを設け、この切り欠き部６２ｃの両側に長軸方向に沿って光反射パターン４を設け、切り欠き部６２ｃを除く導光体３２の外周面に対して０．１ｍｍ程度の所定の隙間を隔てて内周面に蛍光体層５を塗布した白色の反射板６２（導光体ケース６２，単に「ケース６２」や、「屈曲反射板６２」ともいう）が導光体３２を取り囲むように設置される構成以外は実施の形態１で説明したものと同一なので説明を省略する。
【０１０２】
反射板６２には、長軸方向に沿って長軸方向と直交する方向に一定幅の長溝を形成することで光を被照射体に出射する取り出し口となる開口部６２ａ（単に「開口６２ａ」ともいう）を設けている。この長軸方向に沿って長溝で構成した開口６２ａから、導光体３２の一部を露出（実施の形態１〜９では、図示していないが「突出」させてもよい。）している。開口部６２ａの端部を長溝端部と呼ぶ。それぞれの長溝端部と離間して対向する導光体３２の外周面の切り欠き部６２ｃには、長軸方向に沿ってシルク印刷用の白色の光反射部材又は導光体３２に直接切溝で形成したレンチキュラーレンズやプリズムパターンを用いて光反射パターン４が互いに平行して、長軸方向に沿って二列形成される。光反射パターン４は長軸方向に沿って一列であってもよい。光反射パターン４は、蛍光体層５の少なくとも一部と導光体３２の内部を介して対向する位置の導光体３２の外周面に、長軸方向に沿って設けられているともいえる。
【０１０３】
また、光反射パターン４は、長軸方向に沿ってライン状に設けられているといえる。ライン状とは、光反射パターン４が長軸方向に沿って連続していないものやパターンのピッチが変化しているものも含み、総じて長軸方向に沿って連続的に形成されているものとする。さらに、光反射パターン４は、長溝端部からはみ出し、開口部６２ａ側に一部又は全部出ていてもよい（長軸方向及び短軸方向ともに）。したがって、導光体３２の導光路を通過する青色光の一部は光反射パターン４で散乱又は正反射して導光体３２の内部の横断路を透過して導光体３２の表面から出射し、反射板６２の蛍光体層５で捕捉される。
【０１０４】
反射板６２の内面には、約５０μｍの厚み（ｔ）の蛍光体層５が塗布される。この蛍光体層５には、波長が約６００ｎｍ程度の赤色発光する蛍光体と波長が５２５ｎｍ程度の緑色発光する蛍光体とが混合して塗布され、この蛍光体層５で青色光を捕捉し、一部の青色光は反射し、導光体３２の内部を横断して開口部６２ａから被照射体に照射される。その他の青色光は蛍光体層５で吸収され励起された蛍光を放出する。すなわち、蛍光体層５は青色光とは異なる波長の光に変換された２種の複合光（混色光）を生成する。
【０１０５】
生成された蛍光は導光体３２の内部を横断して開口部６２ａから複合光として被照射体に照射される。したがって青色光、赤色光、緑色光が混合した擬似白色光が被照射体に照明される。なお、ＬＥＤ光源とホルダーとの関係及びライン光源の動作については、実施の形態１〜３で説明したものと同一なので説明を省略する。図１９中、図４と同一符号は、同一又は相当部分を示す。
【０１０６】
以上の構造を持つ実施の形態５に係る画像読み取り用ライン光源では、蛍光体層５で反射した青色光と蛍光体層５で生成された複合光は混色し、導光体３２の内部を透過し、反射板６２の開口部６２ａから被照射体に白色の照明光を与える。さらに、導光体３２の断面が楕円状の形状をしているので、蛍光体層５の表面で反射した反射光や生成された蛍光は導光体３２で集光され、そのレンズ効果により、被照射体に対する照明照度を向上させるという効果があると共に導光体３２の短軸側断面が楕円状であるので楕円形の長軸方向に多数のＬＥＤ光源を搭載できる利点がある。また、図２０に示すように導光体３２の開口部６２ａ側に設置した光反射パターン４と対向する導光体３２の外周面に光反射パターン４１（導光体反射パターン４１，光散乱パターン４１）を付加することにより開口部６２ａから出射する青色光の照射量を多くすることができる。また、導光体３２の外周面に設置した光反射パターン４１の設置位置を変更することにより、青色光の出射量を調節することもできる。光反射パターン４１は、蛍光体層５の少なくとも一部と導光体３２の内部を介して対向する位置の導光体３２の外周面に、長軸方向に沿ってライン状に設けられている。
【０１０７】
なお、実施の形態５に係る画像読み取り用ライン光源は、実施の形態４に係る画像読み取り用ライン光源と同様に、実施の形態２に係る画像読み取り用ライン光源におけるＬＥＤ光源１１，蛍光体層５１に相当する構成をＬＥＤ光源１１，蛍光体層５１に置換し、紫外線遮光パターン８を、光反射パターン４を避けて切り欠き部６２ｃに形成することにより、開口部６２ａに到達した紫外光は紫外線カットフィルタ８で遮光され、蛍光体層５１で生成された複合光は導光体３２の内部を透過して反射板６２の開口部６２ａから被照射体に白色の照明光を与えることも可能である。すなわち、実施の形態５に係る画像読み取り用ライン光源は、蛍光体層５１は紫外光とは異なる波長の光に変換された３種の複合光（混色光）を生成するものでもよい。
【０１０８】
実施の形態６．
実施の形態１〜３では、円柱状の導光体を用いたライン光源の構成について説明したが、実施の形態６では、短軸側断面が５角形の導光体に切り欠き部を設けたライン光源の構成について図２１及び図２２を用いて説明する。図２１は、この発明の実施の形態６による画像読み取り用ライン光源の断面図であり、図２１（ａ）は端部付近（突起部６３ｂを有する部分）、図２１（ｂ）は中央部付近を示す。図２２は、この発明の実施の形態６による画像読み取り用ライン光源の反射パターンを付加した断面図であり、図２２（ａ）は端部付近（突起部６３ｂを有する部分）、図２２（ｂ）は中央部付近を示す。
【０１０９】
図２１において、短軸側断面が５角形（多角形）の棒状導光体３３の一部に切り欠き部６３ｃを設け、この切り欠き部６３ｃの両側に長軸方向に沿って光反射パターン４を設け、切り欠き部６３ｃを除く導光体３３の外周面に対して０．１ｍｍ程度の所定の隙間を隔てて内周面に蛍光体層５を塗布した白色の反射板６３（導光体ケース６３，単に「ケース６３」や、「屈曲反射板６３」ともいう）が導光体３３を取り囲むように設置される構成以外は実施の形態１で説明したものと同一なので説明を省略する。
【０１１０】
反射板６３には、長軸方向に沿って長軸方向と直交する方向に一定幅の長溝を形成することで光を被照射体に出射する取り出し口となる開口部６３ａ（単に「開口６３ａ」ともいう）を設けている。この長軸方向に沿って長溝で構成した開口６３ａから、導光体３３の一部を露出（実施の形態１〜９では、図示していないが「突出」させてもよい。）している。開口部６３ａの端部を長溝端部と呼ぶ。それぞれの長溝端部と離間して対向する導光体３３の外周面の切り欠き部６３ｃには、長軸方向に沿ってシルク印刷用の白色の光反射部材又は導光体３３に直接切溝で形成したレンチキュラーレンズやプリズムパターンを用いて光反射パターン４が互いに平行して、長軸方向に沿って二列形成される。光反射パターン４は長軸方向に沿って一列であってもよい。光反射パターン４は、蛍光体層５の少なくとも一部と導光体３３の内部を介して対向する位置の導光体３３の外周面に、長軸方向に沿って設けられているともいえる。
【０１１１】
また、光反射パターン４は、長軸方向に沿ってライン状に設けられているといえる。ライン状とは、光反射パターン４が長軸方向に沿って連続していないものやパターンのピッチが変化しているものも含み、総じて長軸方向に沿って連続的に形成されているものとする。さらに、光反射パターン４は、長溝端部からはみ出し、開口部６３ａ側に一部又は全部出ていてもよい（長軸方向及び短軸方向ともに）。したがって、導光体３３の導光路を通過する青色光の一部は光反射パターン４で散乱又は正反射して導光体３３の内部の横断路を透過して導光体３３の表面から出射し、反射板６３の蛍光体層５で捕捉される。
【０１１２】
反射板６３の内面には、約５０μｍの厚み（ｔ）の蛍光体層５が塗布される。この蛍光体層５には、波長が約６００ｎｍ程度の赤色発光する蛍光体と波長が５２５ｎｍ程度の緑色発光する蛍光体とが混合して塗布され、この蛍光体層５で青色光を捕捉し、一部の青色光は反射し、導光体３３の内部を横断して開口部６３ａから被照射体に照射される。その他の青色光は蛍光体層５で吸収され励起された蛍光を放出する。すなわち、蛍光体層５は青色光とは異なる波長の光に変換された２種の複合光（混色光）を生成する。
【０１１３】
生成された蛍光は導光体３３の内部を横断して開口部６３ａから複合光として被照射体に照射される。したがって青色光、赤色光、緑色光が混合した擬似白色光が被照射体に照明される。なお、ＬＥＤ光源とホルダーとの関係及びライン光源の動作については、実施の形態１〜３で説明したものと同一なので説明を省略する。図２１中、図４と同一符号は、同一又は相当部分を示す。
【０１１４】
以上の構造を持つ実施の形態６に係る画像読み取り用ライン光源では、蛍光体層５で反射した青色光と蛍光体層５で生成された複合光は混色し、導光体３３の内部を透過し、反射板６３の開口部６３ａから被照射体に白色の照明光を与える。本実施の形態６では、導光体３３の切り欠き部６３ｃが光の出射面となる。また、図２２に示すように導光体３３の開口部６３ａ側に設置した反射パターン４と対向する導光体３３の外周面に光反射パターン４１を付加することにより開口部６３ａから出射する青色光の照射量を多くすることができる。また、導光体３３の外周面に設置した反射パターン４１の設置位置を変更することにより、青色光の出射量を調節することもできる。光反射パターン４１は、蛍光体層５の少なくとも一部と導光体３２の内部を介して対向する位置の導光体３３の外周面に、長軸方向に沿ってライン状に設けられている。
【０１１５】
なお、実施の形態６に係る画像読み取り用ライン光源は、実施の形態４及び５に係る画像読み取り用ライン光源と同様に、実施の形態２に係る画像読み取り用ライン光源におけるＬＥＤ光源１１，蛍光体層５１に相当する構成をＬＥＤ光源１１，蛍光体層５１に置換し、紫外線遮光パターン８を、光反射パターン４を避けて切り欠き部６３ｃに形成することにより、開口部６３ａに到達した紫外光は紫外線カットフィルタ８で遮光され、蛍光体層５１で生成された複合光は導光体３３の内部を透過して反射板６３の開口部６３ａから被照射体に白色の照明光を与えることも可能である。すなわち、実施の形態５に係る画像読み取り用ライン光源は、蛍光体層５１は紫外光とは異なる波長の光に変換された３種の複合光（混色光）を生成するものでもよい。
【０１１６】
実施の形態７．
実施の形態６では、短軸側断面が５角形の導光体の切り欠き部６３ｃに光反射パターン４を設けたが、実施の形態７では、切り欠き部以外の導光体の表面に光反射パターンを設けたライン光源の構成について図２３及び図２４を用いて説明する。図２３は、この発明の実施の形態７による画像読み取り用ライン光源の断面図であり、図２３（ａ）は端部付近（突起部６３ｂを有する部分）、図２３（ｂ）は中央部付近を示す。図２４は、この発明の実施の形態７による画像読み取り用ライン光源の反射パターンを付加した断面図であり、図２４（ａ）は端部付近（突起部６３ｂを有する部分）、図２４（ｂ）は中央部付近を示す。
【０１１７】
図２３において、短軸側断面が５角形（多角形）の棒状導光体３３の一部に切り欠き部６３ｃを設け、この切り欠き部６３ｃの外側に位置する導光体３３の長軸方向に沿って導光体３３に光反射パターン４を設け、切り欠き部６３ｃを除く導光体３３の外周面に対して０．１ｍｍ程度の所定の隙間を隔てて内周面に蛍光体を塗布した白色の反射板６３が導光体３３を取り囲むように設置される構成以外は実施の形態１で説明したものと同一なので説明を省略する。
【０１１８】
反射板６３には、長軸方向に沿って長軸方向と直交する方向に一定幅の長溝を形成することで光を被照射体に出射する取り出し口となる開口部６３ａを設けている。この長軸方向に沿って長溝で構成した開口６３ａ（開口部６３ａ）から、導光体３３の一部を露出している。開口部６３ａの端部を長溝端部と呼ぶ。それぞれの長溝端部と離間して対向する導光体３３の外周面の切り欠き部６３ｃと隣接する導光体３３の辺には、切り欠き部６３ｃに近接して長軸方向に沿ってシルク印刷用の白色の光反射部材又は導光体３３に直接切溝で形成したレンチキュラーレンズやプリズムパターンを用いて光反射パターン４が互いに平行して、長軸方向に沿って二列形成される。光反射パターン４は長軸方向に沿って一列であってもよい。光反射パターン４は、蛍光体層５の少なくとも一部と導光体３３の内部を介して対向する位置の導光体３３の外周面に、長軸方向に沿って設けられているともいえる。
【０１１９】
また、光反射パターン４は、長軸方向に沿ってライン状に設けられているといえる。ライン状とは、光反射パターン４が長軸方向に沿って連続していないものやパターンのピッチが変化しているものも含み、総じて長軸方向に沿って連続的に形成されているものとする。さらに、光反射パターン４は、長溝端部からはみ出し、開口部６３ａ側に一部又は全部出ていてもよい（長軸方向及び短軸方向ともに）。したがって、導光体３３の導光路を通過する青色光の一部は光反射パターン４で散乱又は正反射して導光体３３の内部の横断路を透過して導光体３３の表面から出射し、反射板６３の蛍光体層５で捕捉される。
【０１２０】
反射板６３の内面には、約５０μｍの厚み（ｔ）の蛍光体層５が塗布される。この蛍光体層５には、波長が約６００ｎｍ程度の赤色発光する蛍光体と波長が５２５ｎｍ程度の緑色発光する蛍光体とが混合して塗布され、この蛍光体層５で青色光を捕捉し、一部の青色光は反射し、導光体３３の内部を横断して開口部６３ａから被照射体に照射される。その他の青色光は蛍光体層５で吸収され励起された蛍光を放出する。すなわち、蛍光体層５は青色光とは異なる波長の光に変換された２種の複合光（混色光）を生成する。
【０１２１】
生成された蛍光は導光体３３の内部を横断して開口部６３ａから複合光として被照射体に照射される。したがって青色光、赤色光、緑色光が混合した擬似白色光が被照射体に照明される。なお、ＬＥＤ光源とホルダーとの関係及びライン光源の動作については、実施の形態１〜３で説明したものと同一なので説明を省略する。図２３中、図２１と同一符号は、同一又は相当部分を示す。
【０１２２】
以上の構造を持つ実施の形態７に係る画像読み取り用ライン光源では、蛍光体層５で反射した青色光と蛍光体層５で生成された複合光は混色し、導光体３３の内部を透過し、反射板６３の開口部６３ａから被照射体に白色の照明光を与える。本実施の形態７では、導光体３３の切り欠き部６３ｃが光の出射面となるものの光反射パターン４から透過して開口部６３ａに漏れる青色光を軽減すると共に導光体３３の切り欠き部６３ｃから出射する光の出射領域の面積を増加せせることができる。また、図２４に示すように導光体３３の開口部６３ａ側に設置した光反射パターン４と対向する導光体３３の外周面に光反射パターン４１を付加することにより開口部６３ａから出射する青色光の照射量を多くすることができる。また、導光体３３の外周面に設置した反射パターン４１の設置位置を変更することにより、青色光の出射量を調節することもできる。光反射パターン４１は、蛍光体層５の少なくとも一部と導光体３２の内部を介して対向する位置の導光体３３の外周面に、長軸方向に沿ってライン状に設けられている。
【０１２３】
なお、実施の形態７に係る画像読み取り用ライン光源は、実施の形態４〜６に係る画像読み取り用ライン光源と同様に、実施の形態２に係る画像読み取り用ライン光源におけるＬＥＤ光源１１，蛍光体層５１に相当する構成をＬＥＤ光源１１，蛍光体層５１に置換し、紫外線遮光パターン８を、二列の光反射パターン４に挟まれた切り欠き部６３ｃに形成することにより、開口部６３ａに到達した紫外光は紫外線カットフィルタ８で遮光され、蛍光体層５１で生成された複合光は導光体３３の内部を透過して反射板６３の開口部６３ａから被照射体に白色の照明光を与えることも可能である。すなわち、実施の形態５に係る画像読み取り用ライン光源は、蛍光体層５１は紫外光とは異なる波長の光に変換された３種の複合光（混色光）を生成するものでもよい。
【０１２４】
実施の形態８．
実施の形態７では、短軸側断面が５角形の導光体の切欠き部の外側に光反射パターンを設けたが実施の形態８では、導光体の切り欠き部を面取り（Ｃ面取り）したライン光源の構成について図２５及び図２６を用いて説明する。図２５は、この発明の実施の形態８による画像読み取り用ライン光源の中央部付近の断面図（突起部６４ｂを有する部分）である。図２６は、この発明の実施の形態８による画像読み取り用ライン光源の側面断面図である。実施の形態８に係る画像読み取り用ライン光源は、突起部６４ｂが長軸方向に連続して存在している場合を例示している。
【０１２５】
図２５において、短軸側断面が四角形（多角形）の棒状導光体３４の一部に切り欠き部６４ｃを設け、この切り欠き部６４ｃの外側に位置する導光体３４の長軸方向に沿って導光体３４に光反射パターン４を設け、切り欠き部６４ｃを除く導光体３４の外周面に対して０．１ｍｍ程度の所定の隙間を隔てて内周面に蛍光体を塗布した白色の反射板６４（導光体ケース６４，単に「ケース６４」や、「屈曲反射板６４」ともいう）が導光体３４を取り囲むように設置される構成以外は実施の形態１で説明したものに準ずるので説明を省略する。
【０１２６】
反射板６４には、長軸方向に沿って長軸方向と直交する方向に一定幅の長溝を形成することで光を被照射体に出射する取り出し口となる開口部６４ａ（単に「開口６４ａ」ともいう）を設けている。この長軸方向に沿って長溝で構成した開口６４ａから、導光体３４の一部を露出（実施の形態１〜９では、図示していないが「突出」させてもよい。）している。開口部６４ａの端部を長溝端部と呼ぶ。それぞれの長溝端部と所定の隙間を空けて対向する導光体３４の外周面の切り欠き部６４ｃと隣接する導光体３４の辺には、切り欠き部６４ｃに近接して長軸方向に沿ってシルク印刷用の白色の光反射部材又は導光体３４に直接切溝で形成したレンチキュラーレンズやプリズムパターンを用いて光反射パターン４が互いに平行して、長軸方向に沿って二列形成される。光反射パターン４は長軸方向に沿って一列であってもよい。光反射パターン４は、蛍光体層５の少なくとも一部と導光体３４の内部を介して対向する位置の導光体３４の外周面に、長軸方向に沿って設けられているともいえる。
【０１２７】
また、光反射パターン４は、長軸方向に沿ってライン状に設けられているといえる。ライン状とは、光反射パターン４が長軸方向に沿って連続していないものやパターンのピッチが変化しているものも含み、総じて長軸方向に沿って連続的に形成されているものとする。さらに、光反射パターン４は、長溝端部からはみ出し、開口部６４ａ側に一部又は全部出ていてもよい（長軸方向及び短軸方向ともに）。したがって、導光体３４の導光路を通過する青色光の一部は光反射パターン４で散乱又は正反射して導光体３４の内部の横断路を透過して導光体３４の表面から出射し、反射板６４の蛍光体層５で捕捉される。
【０１２８】
反射板６４の内面には、約５０μｍの厚み（ｔ）の蛍光体層５が塗布される。この蛍光体層５には、波長が約６００ｎｍ程度の赤色発光する蛍光体と波長が５２５ｎｍ程度の緑色発光する蛍光体とが混合して塗布され、この蛍光体層５で青色光を捕捉し、一部の青色光は反射し、導光体３４の内部を横断して開口部６４ａから被照射体に照射される。その他の青色光は蛍光体層５で吸収され励起された蛍光を放出する。すなわち、蛍光体層５は青色光とは異なる波長の光に変換された２種の複合光（混色光）を生成する。
【０１２９】
生成された蛍光は導光体３４の内部を横断して開口部６４ａから複合光として被照射体に照射される。したがって青色光、赤色光、緑色光が混合した擬似白色光が被照射体に照明される。なお、ＬＥＤ光源とホルダーとの関係及びライン光源の動作については、実施の形態１〜３で説明したものと同一なので説明を省略する。図２５中、図４と同一符号は、同一又は相当部分を示す。
【０１３０】
以上の構造を持つ実施の形態７に係る画像読み取り用ライン光源では、蛍光体層５で反射した青色光と蛍光体層５で生成された複合光は混色し、導光体３４の内部を透過し、反射板６４の開口部６４ａから被照射体に白色の照明光を与える。本実施の形態８では、導光体３４の切り欠き部６４ｃが光の出射面となり、切り欠き部６４ｃは導光体３４の一部を面取りしている。図示はしていないが、他の実施の形態のように、蛍光体層５の少なくとも一部と導光体３２の内部を介して対向する位置の導光体３３の外周面に、長軸方向に沿ってライン状に光反射パターン４１を設けてもよい。
【０１３１】
図２６は、図２５に示す断面領域を長軸方向から見たライン光源の側面断面図であり、導光体３４の面取り部（切り欠き部）６４ｃから集中させて白色光を被照射体に照射することにより、照明照度の大きいライン光源を得ることができる利点がある。
【０１３２】
実施の形態３〜８に係る画像読み取り用ライン光源では、主として青色ＬＥＤを用いたライン光源で説明したが、前述のとおり、実施の形態２で説明した紫外線ＬＥＤを用いたライン光源であってもＬＥＤ光源とホルダーとの関係及び光源の動作については同一である。実施の形態８に係る画像読み取り用ライン光源において、詳しくは、実施の形態２に係る画像読み取り用ライン光源におけるＬＥＤ光源１１，蛍光体層５１に相当する構成をＬＥＤ光源１１，蛍光体層５１に置換し、紫外線遮光パターン８を、光反射パターン４を避けて切り欠き部６４ｃに形成することにより、開口部６４ａに到達した紫外光は紫外線カットフィルタ８で遮光され、蛍光体層５１で生成された複合光は導光体３４の内部を透過して反射板６４の開口部６４ａから被照射体に白色の照明光を与えることも可能である。すなわち、実施の形態８に係る画像読み取り用ライン光源は、蛍光体層５１は紫外光とは異なる波長の光に変換された３種の複合光（混色光）を生成するものでもよい。
【０１３３】
なお、実施の形態１〜８において、蛍光体層５、５１は蛍光材料を混合（ブレンド）したもので説明したが、蛍光体層５、５１を分割形成し、それぞれの蛍光体層５、５１を単色発光させても良く、蛍光体材料は赤色発光、緑色発光、青色発光を主体で説明したが、これらの発光色に限るものではなく、橙色や黄緑発光色などの蛍光体材料を用いて画像読み取り用ライン光源を構成しても良い。
【０１３４】
実施の形態９．
実施の形態１〜８に係る画像読み取り用ライン光源では、蛍光体層５や蛍光体層５１が、棒状の導光体３（導光体３１〜３４）を覆うケース６（ケース６１〜６４）における前記導光体を取り囲む側の面と前記導光体の外周面との間に形成する場合を説明した。この実施の形態９に係る画像読み取り用ライン光源では、蛍光体層５や蛍光体層５１が、棒状の導光体３（導光体３１〜３４）を覆うケース６（ケース６１〜６４）における棒状の導光体３（導光体３１〜３４）を取り囲む側の面と反対側の面に形成する場合に関して、図２７及び図２８を用いて説明する。なお、導光体の形状は、円柱状の導光体３を例示して説明するが、導光体３１〜３４であってよいことはいうまでもない。
【０１３５】
図２７及び図２８において、透明ケース６５（透明導光体ケース６５，外殻パイプ６５）は、柱状の導光体（導光体３）を取り囲むと共に長軸方向に沿って長溝で構成した開口から、導光体３の一部を露出、又は、突出させ、ＬＥＤ光源１（ＬＥＤ光源１１）からの光を吸収して励起された蛍光を放出する蛍光体層５（蛍光体層５１）における導光体３を取り囲む側の面と導光体３の外周面との間に設けられるものである。つまり、蛍光体層５（蛍光体層５１）は、透明ケース６５の外周面に形成されている。開口部６５ａは、前述の蛍光体層５（蛍光体層５１）による導光体３を取り囲むと共に長軸方向に沿って長溝で構成した開口である。この開口部６５ａは、蛍光体層５（蛍光体層５１）によって形成された長溝（開口部６５ａ）を導光体３上に遮光部材を形成や光反射パターン４の配置によって狭めてもよい。図中の同一符号は同一又は相当部分を示す。
【０１３６】
また、透明ケース６５の開口部６５ａと対向する部分は、導光体３を取り囲むと共に長軸方向に沿って長溝で構成した開口部（開口）としてよい。つまり、ケース６（６１〜６４）と同様の形状でもよいし、図示しているように導光体３を収納する中空部を有する円筒状でもよい。引き続き、図２７及び図２８において、突起部６５ｂは透明ケース６５における導光体３側の面に形成された透明の突起であり、導光体３の外周面と接触することで、透明ケース６５が導光体３を支持している。突起部６５ｂの形状は、突起部６ｂのように、ケースの両端部及び中央部に設けてもよいし、図７及び図８に示すように長軸方向に一様に連続的に設けてもよい。突起部６５ｂの形状は、長軸方向に所定間隔の突起部６ｂを透明ケース６５の内面に形成したが、透明ケース６５の長軸方向に三角柱や半円柱状の突起部６ｃを連続的にライン状に形成してよい。図中の同一符号は同一又は相当部分を示す。
【０１３７】
図２７及び図２８において、保護シート６５ｃ（最外殻パイプ６５ｃ）は、透明ケース６５及び透明ケース６５の外周面に形成された蛍光体層５（蛍光体層５１）を取り囲む保護するものであり、透明ケース６５及び蛍光体層５（蛍光体層５１）並びに導光体３を収納する中空部を有する円筒状でもよい。なお、実施の形態９に係る画像読み取り用ライン光源は、保護シート６５ｃを備えていないものでもよい。図中の同一符号は同一又は相当部分を示す。
【０１３８】
次に、実施の形態９に係る画像読み取り用ライン光源の動作を説明する。図２７の展開斜視図に示すＬＥＤ光源１（ＬＥＤ光源１１）からの光は、導光体３の端部から入射され、導光体３を伝搬する。その伝搬の過程において、蛍光体層５（蛍光体層５１）は、光反射パターン４で散乱又は正反射して導光体３の外周面から透明ケース６５を介して出射した光を捕捉し、この光を反射させると共にＬＥＤ光源１（ＬＥＤ光源１１）からの光とは異なる光学波長の光に変換された複数色の複合光（混色光）を生成する。
【０１３９】
蛍光体層５（蛍光体層５１）で生成された光は、透明ケース６５を介して導光体３の内部へ透過し、導光体３における、蛍光体層５（蛍光体層５１）、厳密には、前述の狭められたものを含む開口６５ａから露出、又は、突出した一部からＬＥＤ光源１（ＬＥＤ光源１１）からの光を含む複合光を被照射体に照射されることなる。
【０１４０】
実施の形態９に係る画像読み取り用ライン光源は、このような動作により被照射体に光を照射するので、実施の形態１〜８に係る画像読み取り用ライン光源と同等の効果を有するだけなく、より安定的に蛍光体層５（蛍光体層５１）を形成することができる。なぜならば、蛍光体層５（蛍光体層５１）を、透明ケース６５が導光体３を支持する構造である突起部６５ｃが形成されている面ではなく、透明ケース６５の外周面に形成しているので、凹凸の無い平坦な面（導光体３であれば曲面）に蛍光体層５（蛍光体層５１）を容易に形成することができるからである。
【０１４１】
図２８（ａ）（ｂ）に示す断面図は、実施の形態９に係る画像読み取り用ライン光源における蛍光体層５（蛍光体層５１）の違いを示す図である。図２８（ａ）に記載の蛍光体層５（蛍光体層５１）による開口部６５ａによる長溝は、図２８（ｂ）に記載の蛍光体層５（蛍光体層５１）による開口部６５ａによる長溝よりも短軸方向が長いものとなっている。開口部６５ａの短軸方向の長さの調整を蛍光体層５（蛍光体層５１）によって行うことで、ＬＥＤ光源１（ＬＥＤ光源１１）からの光を含む複合光に影響がある場合は、前述のように、開口部６５ａを導光体３上に遮光部材を形成や光反射パターン４の配置によって狭めてもよい。
【０１４２】
なお、実施の形態９に係る画像読み取り用ライン光源にＬＥＤ光源１１を使用する場合であって、導光体３におけるケース６５からライン状に出射する紫外光を遮光する紫外線遮光部が必要な場合は、実施の形態１〜８と同様の紫外線遮光パターン８（紫外線カットパターン８，紫外線カットフィルタ８）を導光体３やその近傍に形成すればよい。
【０１４３】
実施の形態１０．
実施の形態１〜９に画像読み取り用ライン光源では、蛍光体層５（蛍光体層５１）が、光反射パターン４で散乱又は正反射して導光体３の外周面から出る光を反射させると共に当該光とは異なる光学波長の光に変換された光を生成して、蛍光体層５（蛍光体層５１）による反射光及び光学波長を変換した光による複合光を被照射体に照射することだけを論じていた。
【０１４４】
しかし、実施の形態１〜９に画像読み取り用ライン光源に基づく、画像読み取り用ライン光源の構造・形状の選択によっては、一部の複合光が、導光体３の外周面に反射して、再度、蛍光体層５（蛍光体層５１）に入射したり（照射されたり）、一部の複合光が、出射領域である開口部へ向わずに、つまり、導光体３内部の横断路（透過路）を主に導光されずに、導光体３内部の導光路を主に伝搬して、再度、導光体３の外周面から蛍光体層５（蛍光体層５１）へ入射したり（照射されたり）する場合があることが分かった（二次励起）。後者は、具体的には導光体から光を被照射体へ出射する空間への全反射角よりも大きな角度で入射した光は外部に出ずに、導光体内を伝搬して、再度、導光体の外周面から蛍光体層５（蛍光体層５１）へ照射されてしまう。なお、二次励起は複合光（混色光）に含まれる可視光領域の光でも生じる。
【０１４５】
このように、複合光が、蛍光体層５（蛍光体層５１）に再照射されてしまうと、蛍光体層５（蛍光体層５１）による再度の光学波長の変換により（二次発光）、複合光の波長の内訳が変化していまい、所望の複合光の色味が得られない場合がある。特に、何度も再照射されると影響が大きくなる。そして、二次励起による二次発光よって、ライン光源の長手方向の位置における色ずれを引き起こす原因となる可能性がある。換言すると、長軸方向においる色均一性を損なう原因となる可能性がある。
【０１４６】
実施の形態１０に画像読み取り用ライン光源は、複合光の蛍光体層５（蛍光体層５１）への再照射の可能性を減少させたものである。実施の形態１０に画像読み取り用ライン光源に関して、図２９及び図３０を用いて説明する。図３０（ａ）は画像読み取り用ライン光源の導光体部分の断面図、図３０（ｂ）は画像読み取り用ライン光源の斜視図（ホルダーなし）である。なお、導光体の形状は、円柱状の導光体３を例示して説明するが、導光体３１〜３４であってよいことはいうまでもない。図２９及び図３０（ｂ）では光反射パターン４を省略している。
【０１４７】
図２９及び図３０において、導光体ケース６６（ケース６６，反射板６６）は、柱状の導光体（導光体３）を取り囲むと共に長軸方向に沿って長溝で構成した開口部６６ａ（開口６６ａ）から、導光体３の一部を露出（又は突出）させたものである。この導光体ケース６６の開口部６６ａと対向する導光体ケース６６の底面から導光体ケース６６の側面の途中までに蛍光体層５（蛍光体層５１）が形成されている。導光体３の直径をａとしたときに、導光体ケース６６の底面の短軸方向の長さを２ａ以上としている。導光体支持部６６ｂは、長軸方向に沿って周期的に導光体ケース６６の底面上に形成され、導光体３を保持する壁面であり、その壁面に導光体３を保持する切り欠き部が形成されている。図中の同一符号は同一又は相当部分を示す。
【０１４８】
図２９に記載の構成・構造から明らかなように、実施の形態１０に画像読み取り用ライン光源におけるＬＥＤ光源１（ＬＥＤ光源１１）からの光が光散乱パターン４で散乱又は正反射して導光体３の外周面から出射するまでの動作は、実施の形態１〜９に画像読み取り用ライン光源と同様であるので説明を省略する。次に、実施の形態１０に係る画像読み取り用ライン光源が、長軸方向において、色均一性を容易に得ることができることを説明する。
【０１４９】
図３０（ｂ）に示すように、導光体３の直径をａとしたときに、導光体ケース６６の蛍光体層５（蛍光体層５１）が形成された底面の短軸方向の長さが導光体３の直径の二倍以上あるので、光散乱パターン４で散乱又は正反射して導光体３の外周面から出射した光は、蛍光体層５（蛍光体層５１）により一部、反射された光、一部、光学波長を変換された光からなる複合光が、図３０（ａ）に示す開口部６６ａから、直接、被照射体に照射される割合が増える。よって、再度、蛍光体層５（蛍光体層５１）に照射される複合光の割合を下げることができる。換言すると二次励起を抑制することができるといえる。
【０１５０】
図２９に図示するように、導光体ケース６６の側壁（壁面に形成された蛍光体層５（蛍光体層５１））を開口部６６ａ側に向かうにつれ、導光体３から離れるようにすると、さらに、再度、蛍光体層５（蛍光体層５１）に照射される複合光の割合を下げることができる。つまり、蛍光体層５（蛍光体層５１）の導光体３の長軸方向と直交する方向の断面形状が、開口部６６ａに近づくにつれ、導光体３からの距離が離れていくものであればよい。また、蛍光体層５（蛍光体層５１）が、開口部６６ａに近づくにつれ、導光体３からの距離が離れていく部分で生成した光（複合光）の一部を直接被照射体に照射するともいえる。
【０１５１】
なお、実施の形態１０に係る画像読み取り用ライン光源にＬＥＤ光源１１を使用する場合であって、導光体３におけるケース６５からライン状に出射する紫外光を遮光する紫外線遮光部が必要な場合は、実施の形態１〜８と同様の紫外線遮光パターン８（紫外線カットパターン８，紫外線カットフィルタ８）を導光体３やその近傍に形成すればよいが、開口部６６ａが、他の実施の形態の開口部よりも大きくなりがちであるので、紫外線遮光パターン８（紫外線カットパターン８，紫外線カットフィルタ８）は、開口部６６ａに対して蓋（例えば、透明天板）をするような形状が望ましい。また、透明天板が導光体３と一体化していてもよい。
【０１５２】
実施の形態１１．
実施の形態１０に係る画像読み取り用ライン光源では、導光体ケースと導光体との寸法の関係を用いて、二次励起を抑制する構成を説明したが、実施の形態１１では、導光体の導光路と横断路（透過路，蛍光発光射出経路）とを概ね分離することで、二次励起を抑制する構成を説明する。具体的には、実施の形態１１に係る画像読み取り用ライン光源は、主に、二種類がある。一つ目は、導光体よりもケースの開口部である出射領域側にも蛍光体層を形成させ、その蛍光体層に対向する位置に光反射パターンを形成するものである（例えば、図３１及び図３２）。二つ目は、他の実施の形態のように出射領域（開口部）の近傍に光反射パターンを設けず、かつ、導光体の短軸方向の断面を多角形の形状の一部から円弧状に突起したような形状にするものである（例えば、図３３〜図３５）。この二つ目の構成に一つ目の構成を併合してもよい。
【０１５３】
実施の形態１１に係る画像読み取り用ライン光源を図３１〜図３５を用いて説明する。図３１（ａ）は導光体ケースの開口側から見た画像読み取り用ライン光源の側面図、図３１（ｂ）はホルダー近傍の画像読み取り用ライン光源の展開斜視図である。図３２は図３１に記載の画像読み取り用ライン光源の導光体部分の断面図である。図３３〜図３５も画像読み取り用ライン光源の導光体部分の断面図であるが、相当する「光体ケースの開口側から見た画像読み取り用ライン光源の側面図」及び「ホルダー近傍の画像読み取り用ライン光源の展開斜視図」は図３１と類似の構成のため、図示は省略する。なお、図３２〜図３５には、長軸方向へ平面視したときのＬＥＤ光源１（ＬＥＤ光源１１）の位置を「ＬＥＤ光源位置」と図面中に付記している。さらに、実施の形態１１に係る画像読み取り用ライン光源の基本動作は、他の実施の形態に係る画像読み取り用ライン光源と同様のために説明は省略する。
【０１５４】
図３１及び図３２において、導光体ケース６７（ケース６７，反射板６７）は、導光体３を取り囲むと共に長軸方向に沿って長溝で構成した開口部６７ａから、導光体３の一部を露出（、又は、突出）させたＵ字状の導光体ケースであり、対向する壁面の片側が長い形状となっている。この長い形状となっている側に、主に、蛍光体層５（蛍光体層５１）が形成されている。導光体ケース６７は導光体３を挟み込むように保持している。光反射パターン４２は、少なくとも、蛍光体層５（蛍光体層５１）の導光体３の長軸方向と直交する方向の断面形状が、開口部６７ａに近づくにつれ、導光体３からの距離が離れていく部分と、導光体３の内部を介して対向する位置を含む導光体３の外周面に、長軸方向に沿ってライン状に設けられた幅広の光反射パターンである。図中の同一符号は同一又は相当部分を示す。
【０１５５】
実施の形態１１に係る画像読み取り用ライン光源である図３１及び図３２に記載の画像読み取り用ライン光源は、蛍光体層５（蛍光体層５１）の導光体３の長軸方向と直交する方向の断面形状が、開口部６７ａに近づくにつれ、導光体３からの距離が離れていくものとなっている。また、この蛍光体層５（蛍光体層５１）の部分に導光体３の内部を介して対向している部分を有する幅広の光反射パターン４２を有しているので、ＬＥＤ光源１（ＬＥＤ光源１１）の光が蛍光体層５（蛍光体層５１）に照射された後、再照射されることなく、複合光として開口部６７ａ側に向かう量が多くなるので、二次励起を抑制することができる。換言すると、図３１及び図３２に記載の画像読み取り用ライン光源は、蛍光体層５（蛍光体層５１）が開口部６７ａに近づくにつれ、導光体３からの距離が離れていく部分で生成した光の一部を直接被照射体に照射するものであるといえる。よって、図３１及び図３２に記載の画像読み取り用ライン光源は、導光体３の導光路と横断路（透過路，蛍光発光射出経路）とを概ね分離したものとなる。
【０１５６】
図３３において、導光体３５は、長軸方向と直交する方向の断面形状が光散乱パターン４３と対向する部分における外周面が連続する少なくとも一方側が円弧状に突起した形状であり、突起した部分以外の長軸方向と直交する方向の断面形状は、多角形となっているものである。また、導光体３５は、光散乱パターン４３と対向する部分が直線形状であって、その直線形状の部分が、円弧状に突起した部分側に傾斜した形状である。開口部６８ａは、導光体３５における円弧状に突起した部分を（露出、又は）突出させたものである。図中の同一符号は同一又は相当部分を示す。
【０１５７】
図３３において、光散乱パターン４３は、前述の導光体３５の傾斜した形状の部分に対向する位置に形成された蛍光体層５（蛍光体層５１）と導光体３５の内部を介して対向する位置の導光体３５の外周面に、長軸方向に沿ってライン状に設けられたものである。なお、蛍光体層５（蛍光体層５１）は、開口部６８ａの近傍まで形成されている。また、蛍光体層５（蛍光体層５１）の導光体３５の長軸方向と直交する方向の断面形状が、開口部６８ａに近づくにつれ、導光体３５からの距離が離れていくものとなっている。光反射パターン４３は、蛍光体層５（蛍光体層５１）の部分に向けて、導光体３５の内部を介して、ＬＥＤ光源１（ＬＥＤ光源１１）からの光を反射することができる。導光体ケース６８は、導光体３５を取り囲むと共に長軸方向に沿って長溝で構成した開口部６８ａから、前述のとおり、導光体３５の一部を（露出、又は）突出させた導光体ケースである。図中の同一符号は同一又は相当部分を示す。
【０１５８】
実施の形態１１に係る画像読み取り用ライン光源である図３３に記載の画像読み取り用ライン光源は、蛍光体層５（蛍光体層５１）の導光体３５の長軸方向と直交する方向の断面形状が、開口部６８ａに近づくにつれ、導光体３５からの距離が離れていくものとなっていることに加え、開口部６８ａ側に傾斜した蛍光体層５（蛍光体層５１）の部分に導光体３５の内部を介して対向している部分を有する光反射パターン４３を有しているので、ＬＥＤ光源１（ＬＥＤ光源１１）の光が蛍光体層５（蛍光体層５１）に照射された後、再照射されることなく、複合光として開口部６８ａ側に向かう量が多くなるので、二次励起を抑制することができる。よって、図３３に記載の画像読み取り用ライン光源は、導光体３５の導光路と横断路（透過路，蛍光発光射出経路）とを概ね分離したものとなる。
【０１５９】
図３４及び図３５において、導光体３６は、長軸方向と直交する方向の断面形状が光散乱パターン４４と対向する部分における外周面が連続する少なくとも一方側が円弧状に突起した形状であり、突起した部分以外の長軸方向と直交する方向の断面形状は、多角形となっているものである。導光体３５の円弧状の突起部分は、半円又は半円未満の突起であったが、導光体３５の円弧状の突起部分は、半円以上の突起である。また、導光体３６は、導光体３５と同じく光散乱パターン４４と対向する部分が直線形状であって、その直線形状の部分が、円弧状に突起した部分側に傾斜した形状である。開口部６９ａは、導光体３６における円弧状に突起した部分を（露出、又は）突出させたものである。光散乱パターン４４は、前述の導光体３６の傾斜した形状の部分に対向する位置に形成された蛍光体層５（蛍光体層５１）と導光体３６の内部を介して対向する位置の導光体３６の外周面に、長軸方向に沿ってライン状に設けられたものである。光反射パターン４４は、蛍光体層５（蛍光体層５１）の部分に向けて、導光体３５の内部を介して、ＬＥＤ光源１（ＬＥＤ光源１１）からの光を反射することができる。図中の同一符号は同一又は相当部分を示す。
【０１６０】
図３４及び図３５において、導光体ケース６９は、導光体３６を取り囲むと共に長軸方向に沿って長溝で構成した開口部６９ａから、前述のとおり、導光体３６の一部を（露出、又は）突出させた導光体ケースである。導光体３７は、導光体３６における導光体３６と蛍光体層５（蛍光体層５１）とが対向する部分の開口部６９ａと反対側の端部の形状を傾斜状ではなく、直立状にしたものである（直立断面）。よって、導光体３７は、この直立状の部分と光散乱パターン４４が形成された部分との間の長軸方向に直交する断面形状が括れたものとなっている（括れ断面）。導光体ケース７０は、導光体３７を取り囲むと共に長軸方向に沿って長溝で構成した開口部７０ａから、導光体３７の一部（突起部分）を（露出、又は）突出させた導光体ケースである。図中の同一符号は同一又は相当部分を示す。
【０１６１】
実施の形態１１に係る画像読み取り用ライン光源である図３４に記載の画像読み取り用ライン光源は、開口部６９ａ側に傾斜した蛍光体層５（蛍光体層５１）の部分に導光体３６の内部を介して対向している部分を有する光反射パターン４４を有しているので、ＬＥＤ光源１（ＬＥＤ光源１１）の光が蛍光体層５（蛍光体層５１）に照射された後、再照射されることなく、複合光として開口部６８ａ側に向かう量が多くなるので、二次励起を抑制することができる。よって、図３４に記載の画像読み取り用ライン光源は、導光体３６の導光路と横断路（透過路，蛍光発光射出経路）とを概ね分離したものとなる。
【０１６２】
さらに、実施の形態１１に係る画像読み取り用ライン光源である図３５に記載の画像読み取り用ライン光源は、導光体３７が前述の直立断面及び括れ断面によって、光反射パターン４４による反射によって、ＬＥＤ光源１（ＬＥＤ光源１１）の光が蛍光体層５（蛍光体層５１）に照射された後、再照射されることなく、複合光として開口部６８ａ側に向かう量が図３４に記載の画像読み取り用ライン光源よりも多くなる。もちろん、図３５に記載の画像読み取り用ライン光源は、導光体３７の導光路と横断路（透過路，蛍光発光射出経路）とを概ね分離したものとなる。
【０１６３】
実施の形態１１に係る画像読み取り用ライン光源は、導光体３５が半円付き多角形導光体３５といえ、導光体３６及び導光体３７が円形−多角形結合導光体３６及び円形−多角形結合導光体３７といえる。また、導光体３５，導光体３６，導光体３７における「光散乱パターン」と対向する部分が直線形状であって、その直線形状の部分が、円弧状に突起した部分側に傾斜した形状であるとしているが、このような直線形状が弓形形状であってもよい。この弓形形状の概ねの延在する仮想直線が前述の直線形状の延在する仮想直線となっておればよい。つまり、弓形形状の概ねの延在する仮想直線が、円弧状に突起した部分側に傾斜しておればよい。なお、弓形形状は、導光体３５，導光体３６，導光体３７の内部に抉れたような形状物でもよいし、導光体３５，導光体３６，導光体３７の外部に飛び出したような形状物でもよい。
【０１６４】
実施の形態１２．
実施の形態１０では、導光体ケースと導光体との寸法の関係を用いて二次励起（二次発光）を抑制した画像読み取り用ライン光源を説明した。また、実施の形態１１では、導光体の導光路と横断路（透過路，蛍光発光射出経路）とを概ね分離して二次励起（二次発光）を抑制した画像読み取り用ライン光源を説明した。この実施の形態１２では、導光体ケースの形状を利用して二次励起（二次発光）を抑制した画像読み取り用ライン光源を説明する。詳しくは、導光体３の導光体ケース側に蛍光体層５（蛍光体層５１）による励起光を含む複合光の出力角度（導光体３への照射角度）を制限することで、二次励起（二次発光）を抑制する。
【０１６５】
図３６〜図４２を用いて実施の形態１２に係る画像読み取り用ライン光源を説明する。図３７は導光体と導光体ケースの一部を透視した透視斜視図になっている。図３９〜図４２は、図３８に記載の円（点線）で囲った部分に相当する拡大図であり、実施の形態１２が許容する構造例を何例か挙げたものである。実施の形態１２に係る画像読み取り用ライン光源の基本動作は、他の実施の形態に係る画像読み取り用ライン光源と同様のために説明は省略する。
【０１６６】
図３６〜図４２において、光反射パターン４の図示は省略しているが、他の実施の形態で説明したものと同様のものである。導光体ケース６０１は、導光体３を取り囲むと共に長軸方向に沿って長溝で構成した開口部６ａから、導光体３の一部を露出（又は、突出させ）、導光体３を取り囲む面に長軸方向に沿って凹部６０１ｄ及び凸部６０１ｃが交互に複数形成されたものである。凹部６０１ｄ及び凸部６０１ｃの段差によって突起部６０１ｂが形成されている。導光体３は、凸部６０１ｃの頂点（突起部６０１ｂ）で支持されている。凹部６０１ｄ及び凸部６０１ｃとは別により背の高い突起部６０１ｂを設けて、導光体３を支持してもよい。凸部６０１ｃ（突起部６０１ｂ）は導光体ケース６０１に形成された導光体保持壁といえる。図中の同一符号は同一又は相当部分を示す。
【０１６７】
なお、蛍光体層５（蛍光体層５１）は、少なくとも導光体ケース６０１の凹部６０１ｄに設けられておればよい。もちろん、凸部６０１ｃの斜面部６０１ｆや斜面部６０１ｆの途中まで形成されていてもよい。ここで、斜面部６０１ｆとは、凸部６０１ｃと凹部６０１ｄとにより形成される斜面である。便宜上、斜面部６０１ｆは凹部６０１ｄと直交する壁面（壁面部）を含むものとする。突起部６０１ｅは凹部６０１ｄに形成された突起であり、凸部６０１ｃを超えない高さのものである。図中の同一符号は同一又は相当部分を示す。
【０１６８】
実施の形態１２に係る画像読み取り用ライン光源は、図３７〜図３９に示すように、ＬＥＤ光源１（ＬＥＤ光源１１）からの光反射パターン４に反射して、蛍光体層５（蛍光体層５１）に照射されて、蛍光光（複合光）が導光体３へ照射されるが、導光体ケース６０１の凸部６０１ｃによって導光体３への入射角度が制限された光を導光体３の内部へ透過させるので、広角な入射は制限されて、複合光の導光路への進入よりも、複合光の横断路（透過路，蛍光発光射出経路）への進入が支配的となり、二次励起（二次発光）を抑制することができる。
【０１６９】
実施の形態１２において、凸部６０１ｃに関しては、図３９、図４１、図４２に示すような先鋭的な頂点を有するものでもよいし、図４９に示すような平坦な頂点を有するものでもよい。また、凹部６０１ｄの底面は図３９及び図４０に示すように平坦でもよいが、図４１に示すように湾曲状にしたり、図４２に示すように、突起部６０１ｅを形成したりすることで、凸部６０１ｃの高さや形状を変更することなく、導光体３への入射角を調整することができる。実施の形態１２に係る画像読み取り用ライン光源の導光体ケース６０１は、他の実施の形態に係る像読み取り用ライン光源の導光体ケースに適用できる。実施の形態９に係る画像読み取り用ライン光源の導光体ケースの場合は、蛍光体層５（蛍光体層５１）の形成場所が異なる。
【０１７０】
実施の形態１３．
実施の形態１２では、導光体３の導光体ケース側に蛍光体層５（蛍光体層５１）による励起光を含む複合光の出力角度（導光体３への照射角度）を、導光体３を取り囲む面に長軸方向に沿って凹部６０１ｄ及び凸部６０１ｃが交互に複数形成した導光体ケース６０１で制限することで、二次励起（二次発光）を抑制していた。実施の形態１３に係る画像読み取り用ライン光源は、導光体３の導光体ケース側に蛍光体層５（蛍光体層５１）による励起光を含む複合光の出力角度（導光体３への照射角度）を、導光体３を取り囲む面に長軸方向に直交する方向（短軸方向）に沿って凹部及び凸部が交互に複数形成した導光体ケースで制限することで、二次励起（二次発光）を抑制するものである。また、実施の形態１３に係る画像読取装置と実施の形態１２に係る画像読取装置とを併用した形態も説明する。
【０１７１】
図４３〜図４６を用いて実施の形態１３に係る画像読み取り用ライン光源を説明する。図４３及び図４５は導光体ケース６０２の蛍光体層５（蛍光体層５１）の近傍拡大図（導光体の図示は省略）である。図４４は図４３及び図４５をさらに拡大した図である。図４４は図３４に図示されるものに実施の形態１３に係る画像読み取り用ライン光源を適用した図（短軸方向の断面図）である。図４６は導光体ケース６０３の蛍光体層５（蛍光体層５１）の近傍拡大図（導光体の図示は省略）である。実施の形態１３に係る画像読み取り用ライン光源の基本動作は、他の実施の形態に係る画像読み取り用ライン光源と同様のために説明は省略する。
【０１７２】
図４３〜図４５において、光反射パターン４の図示は省略しているが、他の実施の形態で説明したものと同様のものである。導光体ケース６０２は、導光体３（導光体３６）を取り囲むと共に長軸方向に沿って長溝で構成した開口部６ａ（開口部６９ａ）から、導光体３（導光体３６）の一部を露出、又は、突出させ、導光体３（導光体３６）を取り囲む面に長軸方向と直交する方向（短軸方向）に沿って第２凹部（凹部６０２ｄ）及び第２凸部（凸部６０２ｃ）が交互に複数形成され、凸部６０２ｃが開口部６ａ（開口部６９ａ）側を向いた斜面部６０２ｅを有するものである。図中の同一符号は同一又は相当部分を示す。
【０１７３】
なお、蛍光体層５（蛍光体層５１）は、導光体ケース６０２の凹部６０２ｄ及び斜面部６０２ｅに設けられている。凹部６０２ｄ及び凸部６０２ｃの段差によって突起部６０２ｂが形成されている。導光体３（導光体３６）は、凸部６０２ｃの頂点（突起部６０２ｂ）で支持されている。凹部６０２ｄ及び凸部６０２ｃとは別により背の高い突起部６０２ｂを設けて、導光体３を支持してもよい。凸部６０２ｃ（突起部６０２ｂ）は導光体ケース６０２に形成された導光体保持壁といえる。図中の同一符号は同一又は相当部分を示す。
【０１７４】
実施の形態１３に係る画像読み取り用ライン光源である図４３〜図４５に記載の画像読み取り用ライン光源は、開口部６ａ（開口部６９ａ）側を向いた斜面部６０２ｅに形成された蛍光体層５（蛍光体層５１）が、ＬＥＤ光源１（ＬＥＤ光源１１）の光を複合光として、開口部６ａ（開口部６９ａ）側、つまり、横断路（透過路，蛍光発光射出経路）へ向かわせるので、二次励起を抑制することができる。具体的には、図４３（ｂ）を用いて説明する。図４３（ｂ）に示す矢印は、導光体３（導光体３６）から出射されたＬＥＤ光源１（ＬＥＤ光源１１）からの光が蛍光体層５（蛍光体層５１）で励起されていることを示している。この図から明らかのとおり、多くの光線が開口部６ａ（開口部６９ａ）側に向かっていることが分かる。よって、図４３〜図４５に記載の画像読み取り用ライン光源は、導光体３（導光体３６）の導光路と横断路（透過路，蛍光発光射出経路）とを概ね分離したものとなる。
【０１７５】
次に、図４６を用いて、実施の形態１２との併用の形態を説明する。図４６において、導光体ケース６０３は、導光体３を取り囲むと共に長軸方向に沿って長溝で構成した開口から、導光体３の一部を露出、又は、突出させ、導光体３を取り囲む面に長軸方向に沿って凹部６０１ｄ及び凸部６０１ｃが交互に複数形成され、導光体３を取り囲む面に長軸方向と直交する方向に沿って第２凹部（凹部６０２ｄ）及び第２凸部（凸部６０２ｃ）が交互に複数形成され、凸部６０２ｃが開口側を向いた斜面部６０２ｅを有するものである。蛍光体層５（蛍光体層５１）は、導光体ケース６０３の凹部６０２ｄ及び斜面部６０２ｅ並びに凹部６０１ｄよって形成された複数の格子状凹部に形成されている。なお、導光体３は、少なくとも導光体ケース６０３の凸部６０１ｃの頂点（突起部６０１ｂ）又は導光体ケース６０３の凸部６０２ｃ（突起部６０２ｂ）の一方の頂点で支持されておればよい。図中の同一符号は同一又は相当部分を示す。
【０１７６】
実施の形態１２との併用の形態における導光体ケース６０３は、図４６に示すような構成となっているので、導光体ケース６０３の凸部６０１ｃによって導光体３への入射角度が制限された光を導光体３の内部へ透過させるので、広角な入射は制限されて、複合光の導光路への進入よりも、複合光の横断路（透過路，蛍光発光射出経路）への進入が支配的となり、さらに、導光体ケース６０３の開口部６ａ側を向いた斜面部６０２ｅに形成された蛍光体層５（蛍光体層５１）が、ＬＥＤ光源１（ＬＥＤ光源１１）の光を複合光として、開口部６ａ側、つまり、横断路（透過路，蛍光発光射出経路）へ向かわせるので、実施の形態１２及び１３に係る画像読み取り用ライン光源は、互いの効果を有するものとなる。
【０１７７】
本願に係る画像読み取り用ライン光源は、導光体ケースにおける導光体を取り囲む側の面と導光体の外周面との間、又は、導光体ケースにおける導光体を取り囲む側の面と反対側の面の少なくとも一方に設けられ、端部から内部に入射した光を吸収して励起された蛍光を放出する蛍光体層の少なくとも一部と導光体の内部を介して対向する位置の導光体の外周面に、長軸方向に沿ってライン状に設けた光反射パターンとを備えている。そして、端部から内部に入射した光が導光体を伝搬する過程において、蛍光体層は、光反射パターンで散乱又は正反射して導光体の外周面から出射した光を捕捉し、この光を反射させると共に当該光とは異なる光学波長の光に変換された光を生成し、蛍光体層で生成された光を導光体の内部へ透過させて、導光体におけるケースから露出、又は、突出した一部から端部から内部に入射した光及び蛍光体層で生成された光を被照射体に照射するものである。よって、実施の形態１〜１３におけるそれぞれの記載を適宜組み合わせることが可能であることはいうまでもない。
【符号の説明】
【０１７８】
１・・ＬＥＤ光源（青色ＬＥＤ）
２・・ＬＥＤ回路  ２ａ・・基板  ２ｂ・・コネクタ（外部端子）  ２ｃ・・放熱板
３・・導光体（円柱導光体）
４・・光反射パターン（導光体反射パターン，光散乱パターン）
５・・蛍光体層
６・・反射板（導光体ケース，ケース）  ６ａ・・開口部  ６ｂ・・突起部
６ｃ・・突起部  ６０１・・反射板（導光体ケース，ケース）  ６０１ｂ・・突起部
６０１ｃ・・凸部  ６０１ｄ・・凹部  ６０１ｅ・・突起部
６０１ｆ・・斜面部（壁面部）
６０２・・反射板（導光体ケース，ケース）  ６０２ｂ・・突起部  ６０２ｃ・・凸部
６０２ｄ・・凹部  ６０２ｅ・・斜面部
６０３・・反射板（導光体ケース，ケース）
７・・ホルダー
８・・紫外線遮光パターン（紫外線カットパターン，紫外光カットフィルタ）
１１・・ＬＥＤ光源（紫外線光源）
３１・・導光体（楕円状導光体）  ３２・・導光体（楕円状導光体）
３３・・導光体（５角柱導光体）  ３４・・導光体（四角柱面取り導光体）
３５・・導光体（半円付き多角形導光体）  ３６・・導光体（円形−多角形結合導光体）
３７・・導光体（円形−多角形結合導光体）
４１・・光反射パターン（導光体反射パターン，光散乱パターン）
４２・・光反射パターン（導光体反射パターン，光散乱パターン）
４３・・光反射パターン（導光体反射パターン，光散乱パターン）
４４・・光反射パターン（導光体反射パターン，光散乱パターン）
５１・・蛍光体層
６１・・反射板（導光体ケース，ケース）
６１ａ・・開口部  ６１ｂ・・突起部
６２・・反射板（導光体ケース，ケース）
６２ａ・・開口部  ６２ｂ・・突起部  ６２ｃ・・切り欠き部（導光体の切り欠き部）
６３・・反射板（導光体ケース，ケース）
６３ａ・・開口部  ６３ｂ・・突起部  ６３ｃ・・切り欠き部（導光体の切り欠き部）
６４・・反射板（導光体ケース，ケース）
６４ａ・・開口部  ６４ｂ・・突起部  ６４ｃ・・面取り部（導光体の切り欠き部）
６５・・透明ケース（透明導光体ケース，外殻パイプ）
６５ａ・・開口部  ６５ｂ・・突起部  ６５ｃ・・保護シート（外殻パイプ）
６６・・導光体ケース（ケース，反射板）  ６６ａ・・開口部  ６６ｂ・・導光体支持部
６７・・導光体ケース（ケース，反射板，Ｕ字状導光体ケース）  ６７ａ・・開口部
６８・・導光体ケース（ケース，反射板）  ６８ａ・・開口部
６９・・導光体ケース（ケース，反射板）  ６９ａ・・開口部
７０・・導光体ケース（ケース，反射板）  ７０ａ・・開口部。
【図１】
0005903950.tif 000002
【図２】
0005903950.tif 000003
【図３】
0005903950.tif 000004
【図４】
0005903950.tif 000005
【図５】
0005903950.tif 000006
【図６】
0005903950.tif 000007
【図７】
0005903950.tif 000008
【図８】
0005903950.tif 000009
【図９】
0005903950.tif 000010
【図１０】
0005903950.tif 000011
【図１１】
0005903950.tif 000012
【図１２】
0005903950.tif 000013
【図１３】
0005903950.tif 000014
【図１４】
0005903950.tif 000015
【図１５】
0005903950.tif 000016
【図１６】
0005903950.tif 000017
【図１７】
0005903950.tif 000018
【図１８】
0005903950.tif 000019
【図１９】
0005903950.tif 000020
【図２０】
0005903950.tif 000021
【図２１】
0005903950.tif 000022
【図２２】
0005903950.tif 000023
【図２３】
0005903950.tif 000024
【図２４】
0005903950.tif 000025
【図２５】
0005903950.tif 000026
【図２６】
0005903950.tif 000027
【図２７】
0005903950.tif 000028
【図２８】
0005903950.tif 000029
【図２９】
0005903950.tif 000030
【図３０】
0005903950.tif 000031
【図３１】
0005903950.tif 000032
【図３２】
0005903950.tif 000033
【図３３】
0005903950.tif 000034
【図３４】
0005903950.tif 000035
【図３５】
0005903950.tif 000036
【図３６】
0005903950.tif 000037
【図３７】
0005903950.tif 000038
【図３８】
0005903950.tif 000039
【図３９】
0005903950.tif 000040
【図４０】
0005903950.tif 000041
【図４１】
0005903950.tif 000042
【図４２】
0005903950.tif 000043
【図４３】
0005903950.tif 000044
【図４４】
0005903950.tif 000045
【図４５】
0005903950.tif 000046
【図４６】
0005903950.tif 000047